(57)【特許請求の範囲】
【請求項１】
ワイヤレス通信のための方法であって、
第１の機能のセットを有する第１のタイプのデバイスと、第２の機能のセットを有する第２のタイプのデバイスとによって復号可能なプリアンブルを有するパケットを生成することと、ここで、前記プリアンブルは、少なくとも１つの反復された信号（ＳＩＧ）フィールドを備える、
前記パケットを送信することと、
を備え、前記反復されたＳＩＧフィールド後の前記プリアンブルの少なくとも一部が、遅延拡散保護を提供するために、前記プリアンブルの１つまたは複数のフィールドに対して増加されたサイクリック・プレフィクスまたは増加されたシンボル持続時間を用いて送信される方法。
【請求項２】
前記反復されたＳＩＧフィールドは、前記第２のタイプのデバイスによって復号可能であるが、前記第１のタイプのデバイスによって復号可能ではない、請求項１に記載の方法。
【請求項３】
前記プリアンブルはさらに、前記第１のタイプのデバイスによって復号可能なＳＩＧフィールドを備え、パケットのタイプを示すインジケーションが、前記第１のタイプのデバイスによって復号可能な前記ＳＩＧフィールドの直交レールによって、前記第２のタイプのデバイスへ提供される、請求項２に記載の方法。
【請求項４】
前記反復されたＳＩＧフィールドは、前記第１のタイプのデバイスが前記パケットのタイプを検出できるような形で反復される、請求項１に記載の方法。
【請求項５】
前記パケットのタイプを示すインジケーションが、前記第１のタイプのデバイスによって復号可能なＳＩＧフィールドの直交レールによって提供される、請求項１に記載の方法。
【請求項６】
前記パケットのタイプを示すインジケーションが、前記反復されたＳＩＧフィールド内のチェックサムによって提供される、請求項１に記載の方法。
【請求項７】
前記反復されたＳＩＧフィールドの少なくとも１つのシンボルが、前記第１のタイプのデバイスによって復号可能な前記ＳＩＧフィールドに対して回転される、請求項１に記載の方法。
【請求項８】
前記反復されたＳＩＧフィールドの少なくとも第１の部分が、ガード・インタバルによって先行される、請求項１に記載の方法。
【請求項９】
前記反復されたＳＩＧフィールドの第２の部分もまた、ガード・インタバルによって先行される、請求項８に記載の方法。
【請求項１０】
前記反復されたＳＩＧフィールドの第２の部分が、前記反復されたＳＩＧフィールドの第１の部分に対して切り詰められる、請求項８に記載の方法。
【請求項１１】
遅延拡散保護のタイプを示すインジケーションが、前記反復されたＳＩＧフィールドの終了前にシグナリングされる、請求項１に記載の方法。
【請求項１２】
前記少なくとも１つの反復されたＳＩＧフィールドが時間において反復される、請求項１に記載の方法。
【請求項１３】
前記少なくとも１つの反復されたＳＩＧフィールドが周波数において反復される、請求項１に記載の方法。
【請求項１４】
前記少なくとも１つの反復されたＳＩＧフィールドは、
前記第２のタイプのデバイスによって復号可能であるが、前記第１のタイプのデバイスによって復号可能ではない、第１の反復されたＳＩＧフィールドと、
少なくとも前記第１のタイプのデバイスによって復号可能である第２の反復されたＳＩＧフィールドと、
を備える、請求項１に記載の方法。
【請求項１５】
前記第１の反復されたＳＩＧフィールドの少なくとも第１の部分が、ガード・インタバルによって先行される、請求項１４に記載の方法。
【請求項１６】
前記パケットの少なくとも一部が、前記プリアンブルの少なくとも一部よりも低いレートで送信される、請求項１に記載の方法。
【請求項１７】
前記プリアンブルは、少なくとも２つの反復されたＳＩＧフィールドを備える、請求項１に記載の方法。
【請求項１８】
前記反復されたＳＩＧフィールドのうちの少なくとも１つが、時間において反復される、請求項１７に記載の方法。
【請求項１９】
前記反復されたＳＩＧフィールドのうちの少なくとも１つが、周波数において反復される、請求項１７に記載の方法。
【請求項２０】
前記反復されたＳＩＧフィールドは、少なくとも１つの反復された高効率（ＨＥ）−ＳＩＧ０フィールドと、少なくとも１つの反復されたＨＥ−ＳＩＧ１フィールドとを備える、請求項１７に記載の方法。
【請求項２１】
前記少なくとも１つの反復された信号（ＳＩＧ）フィールドは、部分的に反復されたＳＩＧフィールドを備える、請求項１に記載の方法。
【請求項２２】
前記部分的に反復されたＳＩＧフィールドは、
前記少なくとも１つの反復されたＳＩＧフィールドの第１のシンボルを送信するためにトーンのセットを用いて、および、
前記少なくとも１つの反復されたＳＩＧフィールドの第２のシンボルを送信するためにトーンの前記セットのうちの限定されたサブセットを用いて、
送信される、請求項２１に記載の方法。
【請求項２３】
ワイヤレス通信のための方法であって、
第１の機能のセットを有する第１のタイプのデバイスと、第２の機能のセットを有する第２のタイプのデバイスとによって復号可能なプリアンブルを有するパケットを受信することと、ここで、前記プリアンブルは、少なくとも１つの反復された信号（ＳＩＧ）フィールドを備える、
前記反復されたＳＩＧフィールドを処理することと、
を備え、前記反復されたＳＩＧフィールド後の前記プリアンブルの少なくとも一部が、遅延拡散保護を提供するために、前記プリアンブルの１つまたは複数のフィールドに対して増加されたサイクリック・プレフィクスまたは増加されたシンボル持続時間を用いて送信される方法。
【請求項２４】
前記反復されたＳＩＧフィールドは、前記第２のタイプのデバイスによって復号可能であるが、前記第１のタイプのデバイスによって復号可能ではない、請求項２３に記載の方法。
【請求項２５】
前記プリアンブルはさらに、前記第１のタイプのデバイスによって復号可能なＳＩＧフィールドを備え、
パケットのタイプを示すインジケーションが、前記第１のタイプのデバイスによって復号可能な前記ＳＩＧフィールドの直交レールによって、前記第２のタイプのデバイスへ提供される、請求項２４に記載の方法。
【請求項２６】
前記反復されたＳＩＧフィールドは、前記第１のタイプのデバイスが前記パケットのタイプを検出できるような形で反復される、請求項２３に記載の方法。
【請求項２７】
前記パケットのタイプを示すインジケーションが、前記第１のタイプのデバイスによって復号可能なＳＩＧフィールドの直交レールによって提供される、請求項２３に記載の方法。
【請求項２８】
前記パケットのタイプを示すインジケーションが、前記反復されたＳＩＧフィールド内のチェックサムによって提供される、請求項２３に記載の方法。
【請求項２９】
前記反復されたＳＩＧフィールドの少なくとも１つのシンボルが、前記第１のタイプのデバイスによって復号可能な前記ＳＩＧフィールドに対して回転される、請求項２３に記載の方法。
【請求項３０】
前記パケットのタイプを、前記反復されたＳＩＧフィールドの反復部分の相関関係によって決定することをさらに備える、請求項２３に記載の方法。
【請求項３１】
前記反復されたＳＩＧフィールドの少なくとも第１の部分が、ガード・インタバルによって先行される、請求項２３に記載の方法。
【請求項３２】
前記反復されたＳＩＧフィールド後の前記パケットの少なくとも一部はプリアンブルであり、前記プリアンブルの１つまたは複数のフィールドに対してより大きなサイクリック・プレフィクスで送信され、その後の少なくとも一部は、より長いシンボル持続時間で送信される、請求項２３に記載の方法。
【請求項３３】
増加されたシンボル持続時間または増加されたサイクリック・プレフィクスで送信された前記少なくとも一部の後の前記パケットの一部が、ノーマルなシンボル持続時間で送信される、請求項２３に記載の方法。
【請求項３４】
遅延拡散保護のタイプを示すインジケーションが、前記反復されたＳＩＧフィールドの終了前にシグナリングされる、請求項２３に記載の方法。
【請求項３５】
前記少なくとも１つの反復されたＳＩＧフィールドが時間において反復される、請求項３４に記載の方法。
【請求項３６】
前記少なくとも１つの反復されたＳＩＧフィールドが周波数において反復される、請求項３４に記載の方法。
【請求項３７】
前記少なくとも１つの反復されたＳＩＧフィールドは、
前記第２のタイプのデバイスによって復号可能であるが、前記第１のタイプのデバイスによって復号可能ではない、第１の反復されたＳＩＧフィールドと、
少なくとも前記第１のタイプのデバイスによって復号可能である第２の反復されたＳＩＧフィールドと、
を備える、請求項２３に記載の方法。
【請求項３８】
前記第１の反復されたＳＩＧフィールドの少なくとも第１の部分が、ガード・インタバルによって先行される、請求項３７に記載の方法。
【請求項３９】
前記パケットの少なくとも一部が、前記プリアンブルの少なくとも一部よりも低いレートで送信される、請求項２３に記載の方法。
【請求項４０】
前記プリアンブルは、少なくとも２つの反復されたＳＩＧフィールドを備える、請求項２３に記載の方法。
【請求項４１】
前記反復されたＳＩＧフィールドの第１のシンボルのトーンのセットが、パイロットのために使用され、
前記反復されたＳＩＧフィールドの第２のシンボルにおけるトーンの同じセットのうちの少なくともサブセットが、遅延拡散保護のタイプをシグナリングするために使用される、請求項２３に記載の方法。
【請求項４２】
遅延拡散保護のタイプが、少なくとも２シンボルにわたって、反復されたＳＩＧフィールドの直交レールを用いてシグナリングされる、請求項２３に記載の方法。
【請求項４３】
遅延拡散保護のタイプが、反復されたＳＩＧフィールドの非パイロット・トーンを用いてシグナリングされる、請求項２３に記載の方法。
【請求項４４】
前記反復されたＳＩＧフィールドの第１のシンボルのトーンのセットが、パイロットのために使用され、
前記反復されたＳＩＧフィールドの第２のシンボルにおけるトーンの同じセットのうちの少なくともサブセットが、遅延拡散保護のタイプをシグナリングするために使用される、請求項２３に記載の方法。
【請求項４５】
遅延拡散保護のタイプが、少なくとも２シンボルにわたって、反復されたＳＩＧフィールドの直交レールを用いてシグナリングされる、請求項２３に記載の方法。
【請求項４６】
第１の反復されたＳＩＧフィールド後の２シンボルの自己相関を計算することによって、遅延拡散保護のタイプを検出することをさらに備える、請求項２３に記載の方法。
【請求項４７】
高効率ＷＬＡＮタイプのパケットが、反復されたＳＩＧフィールドの非パイロット・トーンを用いてシグナリングされる、請求項２３に記載の方法。
【請求項４８】
前記少なくとも１つの反復された信号（ＳＩＧ）フィールドが、部分的に反復されたＳＩＧフィールドを備える、請求項２３に記載の方法。
【請求項４９】
前記部分的に反復されたＳＩＧフィールドが、
前記少なくとも１つの反復されたＳＩＧフィールドの第１のシンボルを受信するためにトーンのセットを用いて、および、
前記少なくとも１つの反復されたＳＩＧフィールドの第２のシンボルを受信するためにトーンの前記セットのうちの限定されたサブセットを用いて、
受信される、請求項４８に記載の方法。
【請求項５０】
ワイヤレス通信のための装置であって、
第１の機能のセットを有する第１のタイプのデバイスと、第２の機能のセットを有する第２のタイプのデバイスとによって復号可能なプリアンブルを有するパケットを生成する手段と、ここで、前記プリアンブルは、少なくとも１つの反復された信号（ＳＩＧ）フィールドを備える、
前記パケットを送信する手段と、
を備え、前記反復されたＳＩＧフィールド後の前記プリアンブルの少なくとも一部が、遅延拡散保護を提供するために、前記プリアンブルの１つまたは複数のフィールドに対して増加されたサイクリック・プレフィクスまたは増加されたシンボル持続時間を用いて送信される装置。
【請求項５１】
ワイヤレス通信のための装置であって、
第１の機能のセットを有する第１のタイプのデバイスと、第２の機能のセットを有する第２のタイプのデバイスとによって復号可能なプリアンブルを有するパケットを受信する手段と、ここで、前記プリアンブルは、少なくとも１つの反復された信号（ＳＩＧ）フィールドを備える、
前記反復されたＳＩＧフィールドを処理する手段と、
を備え、前記反復されたＳＩＧフィールド後の前記プリアンブルの少なくとも一部が、遅延拡散保護を提供するために、前記プリアンブルの１つまたは複数のフィールドに対して増加されたサイクリック・プレフィクスまたは増加されたシンボル持続時間を用いて送信される装置。
【請求項５２】
ワイヤレス通信のための装置であって、
第１の機能のセットを有する第１のタイプのデバイスと、第２の機能のセットを有する第２のタイプのデバイスとによって復号可能なプリアンブルを有するパケットを生成するように構成されたプロセッサと、ここで、前記プリアンブルは、少なくとも１つの反復された信号（ＳＩＧ）フィールドを備える、
前記パケットを送信するように構成された送信機と、
を備え、前記反復されたＳＩＧフィールド後の前記プリアンブルの少なくとも一部が、遅延拡散保護を提供するために、前記プリアンブルの１つまたは複数のフィールドに対して増加されたサイクリック・プレフィクスまたは増加されたシンボル持続時間を用いて送信される装置。
【請求項５３】
ワイヤレス通信のための装置であって、
第１の機能のセットを有する第１のタイプのデバイスと、第２の機能のセットを有する第２のタイプのデバイスとによって復号可能なプリアンブルを有するパケットを受信するように構成されたプロセッサと、ここで、前記プリアンブルは、少なくとも１つの反復された信号（ＳＩＧ）フィールドを備える、
前記反復されたＳＩＧフィールドを処理するように構成された処理システムと、
を備え、前記反復されたＳＩＧフィールド後の前記プリアンブルの少なくとも一部が、遅延拡散保護を提供するために、前記プリアンブルの１つまたは複数のフィールドに対して増加されたサイクリック・プレフィクスまたは増加されたシンボル持続時間を用いて送信される装置。
【発明の詳細な説明】
【技術分野】
【０００１】
関連出願に対する相互参照
[0001]本特許出願は、本願の譲受人に譲渡された、その全体において参照により本明細書に明確に組み込まれる、２０１３年７月５日出願の米国仮出願第６１／８４３，２２８号、２０１３年１０月３１日出願の米国仮出願第６１／８９８，３９７号、および２０１３年１２月１０日出願の米国仮出願第６１／９１４，２７２号に対する優先権を主張する。
【０００２】
[0002]本開示のいくつかの態様は、一般に、ワイヤレス通信に関し、より詳細には、例えば２．４ＧＨｚ帯域および５ＧＨｚ帯域において、より大きな遅延拡散をサポートするために、データ・パケットのプリアンブルにおける情報を用いることに関する。
【背景技術】
【０００３】
[0003]ワイヤレス通信システムのために要求される帯域幅要件が増加する問題に対処するために、複数のユーザ端末が、チャネル・リソースを共有することによって、高データ・スループットを達成しながら、単一のアクセスポイントと通信することを可能にするための、様々なスキームが開発されている。多入力多出力（ＭＩＭＯ）技術は、次世代通信システムのためのポピュラーな技術として最近現れたこのような１つのアプローチを表す。ＭＩＭＯ技術は、例えば電気電子技術者協会（ＩＥＥＥ）８０２．１１規格のようないくつかの新興のワイヤレス通信規格に採用されている。ＩＥＥＥ８０２．１１は、短距離通信（例えば、数１０メートルから数１００メートル）のためにＩＥＥＥ８０２．１１委員会によって開発されたワイヤレス・ローカル・エリア・ネットワーク（ＷＬＡＮ）エア・インタフェース規格のセットを示す。
【０００４】
[0004]ＭＩＭＯシステムは、データ送信のために、マルチプルな（ＮＴ個の）送信アンテナと、マルチプルな（ＮＲ個の）受信アンテナとを使用する。ＮＴ個の送信アンテナおよびＮＲ個の受信アンテナによって形成されるＭＩＭＯチャネルは、空間チャネルとも呼ばれるＮＳ個の独立チャネルへ分割される。ここでＮＳ≦ｍｉｎ｛ＮＴ，ＮＲ｝である。ＮＳ個の独立チャネルの各々は、ディメンションに対応する。マルチプルな送信アンテナおよび受信アンテナによって生成される追加のディメンションが利用される場合、ＭＩＭＯシステムは、（例えば、より高いスループットおよび／またはより高い信頼性のような）改善されたパフォーマンスを提供しうる。
【０００５】
[0005]単一のアクセスポイント（ＡＰ）と複数のユーザ局（ＳＴＡ）とを備えるワイヤレスネットワークでは、アップリンク方向とダウンリンク方向との両方において、複数のチャネルにおいて、異なる局への同時送信が生じうる。このようなシステムには、多くの課題がある。
【発明の概要】
【０００６】
[0006]本開示のある態様は、ワイヤレス通信のための方法を提供する。この方法は一般に、第１の機能のセット（first set of capabilities）を有する第１のタイプのデバイスと、第２の機能のセットを有する第２のタイプのデバイスとによって復号可能なプリアンブルを有するパケットを生成することであって、前記プリアンブルが少なくとも１つの反復された信号（ＳＩＧ）フィールドを備える、生成することと、このパケットを送信することと、を含む。
【０００７】
[0007]本開示のある態様は、ワイヤレス通信のための方法を提供する。この方法は一般に、第１の機能のセットを有する第１のタイプのデバイスと、第２の機能のセットを有する第２のタイプのデバイスとによって復号可能なプリアンブルを有するパケットを受信することであって、前記プリアンブルが少なくとも１つの反復された信号（ＳＩＧ）フィールドを備える、受信することと、反復されたＳＩＧフィールドを処理することと、を含む。
【０００８】
[0008]さまざまな態様は、また、前述された方法の動作を実行することが可能なさまざまな装置、プログラム製品、およびデバイス（例えば、アクセスポイントおよびその他のタイプのワイヤレスデバイス）も提供する。
【０００９】
[0009]本開示の前述した特徴が詳細に理解されるように、以上の簡潔な要約について、添付図面にその一部が示される諸態様を参照して、より詳細に説明する。ただし、この記載は、その他の等しく有効な態様にも適合するので、添付図面は、本開示の特定の典型的な態様を示すものにすぎず、その範囲を限定するものとして考慮されるべきではないことに留意されたい。
【図面の簡単な説明】
【００１０】
【図１】[0010]図１は、本開示の特定の態様によるワイヤレス通信ネットワークの図を例示する。
【図２】[0011]図２は、本開示の特定の態様によるアクセスポイントおよびユーザ端末の例のブロック図を例示する。
【図３】[0012]図３は、本開示の特定の態様によるワイヤレスデバイスの例のブロック図を例示する。
【図４】[0013]図４は、本開示の特定の態様によるアクセスポイントから送信されるプリアンブルの構造の例を例示する。
【図５】[0014]図５は、本開示の特定の態様による、少なくとも部分的に反復された信号フィールドを備えた例示的なプリアンブル構造を例示する。
【図６Ａ】[0015]図６Ａは、本開示の特定の態様による、異なる形式の反復された信号フィールドを有する例示的なプリアンブル構造を例示する。
【図６Ｂ】図６Ｂは、本開示の特定の態様による、異なる形式の反復された信号フィールドを有する例示的なプリアンブル構造を例示する。
【図６Ｃ】図６Ｃは、本開示の特定の態様による、異なる形式の反復された信号フィールドを有する例示的なプリアンブル構造を例示する。
【図７】[0016]図７は、本開示の特定の態様による、アクセスポイント（ＡＰ）によって実行されうる例示的な動作を例示する。
【図７Ａ】[0017]図７Ａは、図７に図示された動作を実行することが可能な構成要素の例を図示する。
【図８】[0018]図８は、本開示の特定の態様による、基地局によって実行されうる例示的な動作を例示する。
【図８Ａ】[0019]図８Ａは、図８に図示された動作を実行することが可能な構成要素の例を図示する。
【図９Ａ】[0020]図９Ａは、本開示の特定の態様による、反復されたＬ−ＳＩＧフィールドを有する例示的なプリアンブル構造を例示する。
【図９Ｂ】図９Ｂは、本開示の特定の態様による、反復されたＬ−ＳＩＧフィールドを有する例示的なプリアンブル構造を例示する。
【図１０Ａ】[0021]図１０Ａは、本開示の特定の態様による、異なる形式の反復されたＨＥ−ＳＩＧ１フィールドを有する例示的なプリアンブル構造を例示する。
【図１０Ｂ】図１０Ｂは、本開示の特定の態様による、異なる形式の反復されたＨＥ−ＳＩＧ１フィールドを有する例示的なプリアンブル構造を例示する。
【図１１Ａ】[0022]図１１Ａは、本開示の特定の態様による、周波数領域で反復されうる信号フィールドを有する例示的なプリアンブル構造を例示する。
【図１１Ｂ】図１１Ｂは、本開示の特定の態様による、周波数領域で反復されうる信号フィールドを有する例示的なプリアンブル構造を例示する。
【図１１Ｃ】図１１Ｃは、本開示の特定の態様による、周波数領域で反復されうる信号フィールドを有する例示的なプリアンブル構造を例示する。
【図１２Ａ】[0023]図１２Ａは、本開示の特定の態様による、ＳＩＧフィールドのための遅延拡散保護を示すインジケーションのシグナリングを有する例示的なプリアンブル構造を例示する。
【図１２Ｂ】図１２Ｂは、本開示の特定の態様による、ＳＩＧフィールドのための遅延拡散保護を示すインジケーションのシグナリングを有する例示的なプリアンブル構造を例示する。
【図１２Ｃ】[0024]図１２Ｃは、本開示の特定の態様による、ＳＩＧフィールドのための遅延拡散保護を示すインジケーションをシグナリングするための例示的な技術を例示する。
【発明を実施するための形態】
【００１１】
[0025]本開示の諸態様は、ＷｉＦｉ帯域のようなある周波数範囲において、より大きな遅延拡散の影響に対処することを支援しうる技術を提供する。
【００１２】
[0026]本開示の諸態様は、ワイヤレス送信のためのプリアンブル構造を提供する。本明細書に記載されるように、さまざまな機能を有する（例えば、さまざまな規格に準拠した）デバイスによって復号可能になるように、プリアンブル構造の一部分を設計することによって、送信の対象とされない第１のタイプのデバイスは、それでもなお、復号可能な一部分に基づいて「先送り」し、この媒体での送信を回避しうる。
【００１３】
[0027]いくつかの態様によれば、信号（ＳＩＧ）フィールドのように、プリアンブル構造の１または複数のフィールドのいくつかまたはすべてが反復されうる。いくつかのケースでは、プリアンブル構造においてＳＩＧフィールドを反復することは、１または複数の利点を提供しうる。例えば、反復されたＳＩＧフィールドは、遅延拡散保護（ＤＳＰ）に備えうる。本明細書で使用されるとき、遅延拡散は一般に、最も早い（earliest）マルチパス成分の到着の時間と、最も遅い（latest）マルチパス成分の到着の時間との差分を指す。ＳＩＧフィールドを反復することはまた、デバイスが、異なるタイプのパケット・フォーマット（例えば、ＨＥＷパケットと非ＨＥＷパケットと）を区別することを支援しうる。そのような場合、デバイスは、パケットの残りの部分を処理するか、または処理を停止するのかを決定し、場合によっては、パケットのすでに復号された部分において示された指定された期間、先送りしうる。
【００１４】
[0028]いくつかのケースでは、信号フィールド全体を反復するのではなく、信号フィールドは、部分的にのみ反復されうる。例えば、いくつかのケースでは、反復された信号フィールドのトーンのいくつかが、パンクチャされうる。この部分的な反復は、プリアンブル構造の検出時におけるフォールスアラームを回避することを支援しうる。例えば、この部分的な反復は、復号局が、新たなプリアンブル構造を、例えば８０２．１１  ａｈプリアンブル構造のようなその他の既存の（いわゆる、レガシー）プリアンブル構造と混同するのを避けることを支援しうる。
【００１５】
[0029]本開示のさまざまな態様が、以下で添付図面を参照してより詳細に記載される。しかしながら、本開示は、多種多様な形態で具現化され、本開示を通じて示されたどの具体的な構成または機能にも限定されるものとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されるにせよ、あるいは、本開示の任意の他の態様と組み合わされるにせよ、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、請求項の１または複数の要素によって具体化されうる。
【００１６】
[0030]「例示的である」という単語は「例、事例、あるいは実例として役立つ」ことを意味するために本明細書で使用される。本明細書において「例示的」と記載されるいかなる態様も、他の態様よりも好適であるとか、有利であると必ずしも解釈される必要はない。
【００１７】
[0031]本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なるワイヤレス技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００１８】
例示的なワイヤレス通信システム
[0032]本明細書に記載された技術は、直交多重化スキームに基づく通信システムを含むさまざまなブロードバンドワイヤレス通信システムのために使用される。このような通信システムの例は、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システム等を含んでいる。ＳＤＭＡシステムは、複数のユーザ端末に属するデータを同時に送信するために、十分に異なる方向を利用しうる。ＴＤＭＡシステムによって、複数のユーザ端末は、送信信号を複数の異なる時間スロットに分割することによって、同じ周波数チャネルを共有できるようになる。ここで、各時間スロットは、異なるユーザ端末に割り当てられる。ＯＦＤＭＡシステムは、直交周波数分割多重（ＯＦＤＭ）を利用する。これは、システム帯域幅全体を、複数の直交サブ・キャリアへ分割する変調技術である。これらサブ・キャリアはまた、トーン、ビン等とも称されうる。各サブ・キャリアは、ＯＦＤＭを用いて、データと独立して変調される。ＳＣ−ＦＤＭＡシステムは、システム帯域幅にわたって分散されたサブ・キャリアで送信するインタリーブＦＤＭＡ（ＩＦＤＭＡ）、隣接するサブ・キャリアのブロックで送信するローカライズドＦＤＭＡ（ＬＦＤＭＡ）、あるいは、隣接するサブ・キャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１９】
[0033]本明細書に記載された教示は、さまざまな有線装置またはワイヤレス装置（例えば、ノード）へ組み込まれうる（例えば、これら内で実行されるか、これらによって実施される）。いくつかの態様では、本明細書における教示にしたがって実施されるワイヤレスノードは、アクセスポイントまたはアクセス端末を備えうる。
【００２０】
[0034]アクセスポイント（「ＡＰ」）は、ノードＢ、無線ネットワーク・コントローラ（「ＲＮＣ」）、エボルブド・ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービス・セット（「ＢＳＳ」）、拡張サービス・セット（「ＥＳＳ」）、無線基地局（「ＲＢＳ」）、または、その他いくつかの用語として知られているか、備えているか、または実現されうる。
【００２１】
[0035]例えば、アクセス端末（「ＡＴ」）は、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（「ＳＩＰ」）電話、ワイヤレスローカル・ループ（「ＷＬＬ」）局、携帯情報端末（「ＰＤＡ」）、ワイヤレス接続機能を有するハンドヘルド・デバイス、局（「ＳＴＡ」）、あるいはワイヤレスモデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星無線機）、全地球測位システム・デバイス、あるいはワイヤレス媒体または有線媒体によって通信するように構成されたその他任意の適切なデバイスに組み入れられうる。いくつかの態様では、ノードはワイヤレスノードである。このようなワイヤレスノードは、例えば、有線またはワイヤレスによる通信リンクによる（例えば、インターネットまたはセルラ・ネットワークのような広域ネットワークのような）ネットワークへの、または、ネットワークのための接続を提供しうる。
【００２２】
[0036]図１は、アクセスポイントおよびユーザ端末を備えた多元接続多入力多出力（ＭＩＭＯ）システム１００を例示する。
【００２３】
[0037]例示されるように、ＡＰ  １１０およびユーザ端末（ＵＴ）１２０は、本明細書において高効率ＷｉＦｉパケットまたは高効率ＷＬＡＮ（ＨＥＷ）パケットと称されるパケット１５０の交換によって通信しうる。ＨＥＷパケット１５０は、以下により詳細に記載されるように、反復された信号フィールドの少なくとも一部分を有するプリアンブル構造を有しうる。
【００２４】
[0038]簡略のために、図１には、１つのアクセスポイント１１０だけしか示されていない。アクセスポイントは、一般に、ユーザ端末と通信する固定局であり、基地局、またはその他いくつかの用語でも称されうる。ユーザ端末は、据置式または移動式であり、移動局、ワイヤレスデバイス、またはその他いくつかの用語でも称されうる。アクセスポイント１１０は、ダウンリンクおよびアップリンクにおいて、所与の瞬間において、１または複数のユーザ端末１２０と通信しうる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアを通信しうる。システム・コントローラ１３０は、アクセスポイントに接続し、アクセスポイントに調整および制御を提供する。
【００２５】
[0039]以下の開示の一部は、空間分割多元接続（ＳＤＭＡ）を介して通信することが可能なユーザ端末１２０について説明しているが、特定の態様では、ユーザ端末１２０はまた、ＳＤＭＡをサポートしないいくつかのユーザ端末をも含みうる。したがって、このような態様のために、ＡＰ１１０は、ＳＤＭＡユーザ端末と非ＳＤＭＡユーザ端末との両方と通信するように構成されうる。このアプローチによって、便利なことに、古いバージョンのユーザ端末（「レガシー」局）は、エンタープライズ内に引き続き配置され、有用な寿命を延ばすことができるようになるとともに、新たなＳＤＭＡユーザ端末が、適切なものとみなされて導入されるようになる。
【００２６】
[0040]システム１００は、ダウンリンクおよびアップリンクにおけるデータ送信のために複数の送信アンテナおよび複数の受信アンテナを適用する。アクセスポイント１１０は、Ｎａｐ個のアンテナを装備しており、ダウンリンク送信のための複数の入力（ＭＩ）と、アップリンク送信のための複数の出力（ＭＯ）とを示す。Ｋ個の選択されたユーザ端末１２０のセットは、集合的に、ダウンリンク送信のための複数の出力と、アップリンク送信のための複数の入力とを示す。純粋なＳＤＭＡの場合、Ｋ個のユーザ端末のためのデータ・シンボル・ストリームが、何らかの手段によって、符号、周波数、または時間で多重化されていない場合、Ｎａｐ≧Ｋ≧１を有することが望まれる。データ・シンボル・ストリームが、ＴＤＭＡ技術を用いて、ＣＤＭＡで異なる符号チャネルを用いて、ＯＦＤＭでサブ帯域の別のセットを用いて、等で多重化されうるのであれば、Ｋは、Ｎａｐよりも大きくなりうる。選択された各ユーザ端末は、ユーザ特有データをアクセスポイントへ送信するか、および／または、ユーザ特有データをアクセスポイントから受信する。一般に、選択された各ユーザ端末は、１または複数のアンテナ（すなわち、Ｎｕｔ≧１）を備えられうる。Ｋ個の選択されたユーザ端末は、同じまたは異なる数のアンテナを有しうる。
【００２７】
[0041]このシステム１００は、時分割複信（ＴＤＤ）システムまたは周波数分割複信（ＦＤＤ）システムでありうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ユーザ端末１２０が、送信／受信を、別の時間スロットに分割することによって、同じ周波数チャネルを共有する場合、システム１００は、ＴＤＭＡシステムでもありうる。ここで、各時間スロットは、異なるユーザ端末１２０に割り当てられる。
【００２８】
[0042]示されるように、図１および図２では、ＡＰは、（例えば、図５〜図６および図９〜図１２に図示される例示的なフォーマットのうちの１つにしたがって、）本明細書に記載されたようなプリアンブル・フォーマットを有するＨＥＷパケット１５０を送信しうる。
【００２９】
[0043]図２は、ＭＩＭＯシステム１００におけるアクセスポイント１１０と２つのユーザ端末１２０ｍ，１２０ｘのブロック図を例示する。アクセスポイント１１０は、Ｎｔ個のアンテナ２２４ａ〜２２４ｔを備えている。ユーザ端末１２０ｍは、Ｎｕｔ，ｍ個のアンテナ２５２ｍａ〜２５２ｍｕを備え、ユーザ端末１２０ｘは、Ｎｕｔ，ｘ個のアンテナ２５２ｘａ〜２５２ｘｕを備えている。アクセスポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、ワイヤレスチャネルを介してデータを送信することが可能な、独立して動作する装置またはデバイスであり、「受信エンティティ」は、ワイヤレスチャネルを介してデータを受信することが可能な、独立して動作する装置またはデバイスである。以下の記載では、添字“ｄｎ”は、ダウンリンクを示し、添字“ｕｐ”は、アップリンクを示し、Ｎｕｐ個のユーザ端末が、アップリンクにおける同時送信のために選択され、Ｎｄｎ個のユーザ端末が、ダウンリンクにおける同時送信のために選択され、Ｎｕｐは、Ｎｄｎと等しい場合も、等しくない場合もあり、ＮｕｐおよびＮｄｎは、固定値でありうるか、または、各スケジューリング・インタバルについて変動しうる。ビーム・ステアリングまたはその他のある空間処理技術が、アクセスポイントおよびユーザ端末において使用されうる。
【００３０】
[0044]アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データを処理（例えば、符号化、インタリーブ、および変調）し、データ・シンボル・ストリームを提供する。ＴＸ空間プロセッサ２９０は、データ・シンボル・ストリームについて空間処理を実行し、Ｎｕｔ，ｍ個のアンテナのために、Ｎｕｔ，ｍ個の送信シンボルを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセスポイントへ送信のために、Ｎｕｔ，ｍ個のアップリンク信号を提供する。
【００３１】
[0045]Ｎｕｐ個のユーザ端末は、アップリンクにおける同時送信のためにスケジュールされうる。これらユーザ端末の各々は、データ・シンボル・ストリームについて空間処理を実行し、送信シンボル・ストリームのセットを、アップリンクで、アクセスポイントへ送信する。
【００３２】
[0046]アクセスポイント１１０では、Ｎａｐ個のアンテナ２２４ａ〜２２４ａｐが、アップリンクで送信しているＮａｐ個すべてのユーザ端末からアップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信空間処理を実行し、復元されたＮｕｐ個のアップリンク・データ・シンボル・ストリームを提供する。受信機空間処理は、チャネル相関行列変換（ＣＣＭＩ）、最小平均平方誤差（ＭＭＳＥ）、ソフト干渉除去（ＳＩＣ）、またはその他いくつかの技術にしたがって実行される。復号された各アップリンク・データ・シンボル・ストリームは、それぞれのユーザ端末によって送信されたデータ・シンボル・ストリームの推定値である。ＲＸデータ・プロセッサ２４２は、復号されたデータを取得するためにそのストリームのために使用されたレートにしたがって、復号されたアップリンク・データ・シンボル・ストリームを処理（例えば、復調、デインタリーブ、および復号）する。各ユーザ端末の復号されたデータは、格納のためにデータ・シンク２４４へ、および／または、さらなる処理のためにコントローラ２３０へ提供されうる。
【００３３】
[0047]ダウンリンクでは、アクセスポイント１１０において、ＴＸデータ・プロセッサ２１０が、ダウンリンク送信のためにスケジュールされたＮｄｎ個のユーザ端末のためのトラフィック・データをデータ・ソース２０８から受信し、コントローラ２３０から制御データを受信し、恐らくは、スケジューラ２３４からその他のデータを受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて（例えば、本開示で説明されるようなプリコーディングまたはビームフォーミングのような）空間処理を実行し、Ｎａｐ個のアンテナのためにＮａｐ個の送信シンボル・ストリームを提供する。各送信機ユニット２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のためのダウンリンク信号を提供する。
【００３４】
[0048]各ユーザ端末１２０では、Ｎｕｔ，ｍ個のアンテナ２５２が、アクセスポイント１１０からＮａｐ個のダウンリンク信号を受信する。各受信機ユニット２５４は、関連するアンテナ２５２からの受信信号を処理し、受信シンボル・ストリームを提供する。ＲＸ空間プロセッサ２６０は、受信ユニット２５４からの受信シンボル・ストリームについて受信機空間処理を実行し、ユーザ端末のために復元されたダウンリンク・データ・シンボル・ストリームを提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００３５】
[0049]各ユーザ端末１２０では、チャネル推定器２７８が、ダウンリンク・チャネル応答を推定し、ダウンリンク・チャネル推定値を提供する。これは、チャネル・ゲイン推定値、ＳＮＲ推定値、ノイズ分散等を含みうる。同様に、チャネル推定器２２８は、アップリンク・チャネル応答を推定し、アップリンク・チャネル推定値を提供する。各ユーザ端末のコントローラ２８０は、一般に、ユーザ端末のためのダウンリンク・チャネル応答行列Ｈｄｎ，ｍに基づいて、ユーザ端末のための空間フィルタ行列を導出する。コントローラ２３０は、実効的なアップリンク・チャネル応答行列Ｈｕｐ，ｅｆｆに基づいて、アクセスポイントのための空間フィルタ行列を導出する。各ユーザ端末のコントローラ２８０は、アクセスポイントへフィードバック情報（例えば、ダウンリンクおよび／またはアップリンクの固有ベクトル、固有値、ＳＮＲ推定値等）を送信しうる。コントローラ２３０，２８０はさらに、アクセスポイント１１０およびユーザ端末１２０それぞれにおけるさまざまな処理ユニットの動作を制御する。
【００３６】
[0050]図３は、ワイヤレス通信システム（例えば、本明細書に記載されたプリアンブル構造を有するＨＥＷパケット１５０を利用する図１のシステム１００）内で適用されうるワイヤレスデバイス３０２において利用されうるさまざまな構成要素を例示する。ワイヤレスデバイス３０２は、本明細書で説明されるさまざまな方法を実施するために構成されうるデバイスの例である。ワイヤレスデバイス３０２は、アクセスポイント１１０またはユーザ端末１２０でありうる。
【００３７】
[0051]ワイヤレスデバイス３０２は、ワイヤレスデバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３８】
[0052]ワイヤレスデバイス３０２は、ワイヤレスデバイス３０２と遠隔位置との間でのデータの送信および受信を可能にするために、送信機３１０および受信機３１２を含みうるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。ワイヤレスデバイス３０２はまた、（図示しない）複数の送信機、複数の受信機、および複数のトランシーバを含みうる。
【００３９】
[0053]ワイヤレスデバイス３０２は、トランシーバ３１４によって受信された信号を検出し、そのレベルを定量化する目的で使用される信号検出器３１８をも含みうる。信号検出器３１８は、合計エネルギー、シンボル毎のサブ・キャリア毎のエネルギー、電力スペクトル密度、およびその他の信号のような信号を検出しうる。ワイヤレスデバイス３０２は、信号を処理する際に使用されるデジタル信号プロセッサ（ＤＳＰ）３２０をも含みうる。
【００４０】
[0054]ワイヤレスデバイス３０２のさまざまな構成要素が、データ・バスに加えて電力バス、制御信号バス、およびステータス信号バスを含みうるバス・システム３２２によってともに結合されうる。
【００４１】
例示的な高効率ＷＬＡＮ（ＨＥＷ）プリアンブル構造
[0055]図４は、プリアンブル４００の例示的な構造を例示する。プリアンブル４００は、例えば、ワイヤレスネットワーク（例えば、図１に例示するシステム１００）において、アクセスポイント（ＡＰ）１１０からユーザ端末１２０へ送信されうる。
【００４２】
[0056]プリアンブル４００は、オムニレガシー部分４０２（すなわち、非ビームフォーム部分）と、プリコード８０２．１１ａｃ  ＶＨＴ（超高スループット）部分４０４とを備えうる。レガシー部分４０２は、レガシー・ショート・トレーニング・フィールド（Ｌ−ＳＴＦ）４０６、レガシー・ロング・トレーニング・フィールド４０８、レガシー信号（Ｌ−ＳＩＧ）フィールド４１０、およびＶＨＴ信号Ａ（ＶＨＴ−ＳＩＧ−Ａ）フィールドのための２つのＯＦＤＭシンボル４１２，４１４を備えうる。ＶＨＴ−ＳＩＧ−Ａフィールド４１２，４１４は、全方向的に送信され、ＳＴＡの組み合わせ（セット）に空間ストリーム数の割当を示しうる。ある態様の場合、ＳＴＡの特定のセットがＭＵ−ＭＩＭＯ送信の空間ストリームを受信するであろうことを、サポートされているすべてのＳＴＡへ伝えるために、プリアンブル４００に、グループ識別子（グループＩＤ）フィールド４１６が含まれうる。
【００４３】
[0057]プリコード８０２．１１ａｃ  ＶＨＴ部分４０４は、超高スループット・ショート・トレーニング・フィールド（ＶＨＴ−ＳＴＦ）４１８、超高スループット・ロング・トレーニング・フィールド１（ＶＨＴ−ＬＴＦ１）４２０、超高スループット・ロング・トレーニング・フィールド（ＶＨＴ−ＬＴＦ）４２２、超高スループット信号Ｂ（ＶＨＴ−ＳＩＧ−Ｂ）フィールド４２４、およびデータ部分４２６を備えうる。ＶＨＴ−ＳＩＧ−Ｂフィールドは、１つのＯＦＤＭシンボルを備え、プリコード／ビームフォームされて送信されうる。
【００４４】
[0058]ロバストなＭＵ−ＭＩＭＯ受信は、ＡＰが、すべてのＶＨＴ−ＬＴＦ４２２を、サポートされているすべてのＳＴＡへ送信することを含みうる。ＶＨＴ−ＬＴＦ４２２によって、各ＳＴＡは、すべてのＡＰアンテナからＳＴＡのアンテナへのＭＩＭＯチャネルを推定できるようになりうる。ＳＴＡは、他のＳＴＡに対応するＭＵ−ＭＩＭＯストリームから、実効的な干渉ヌルイングを実行するために、この推定されたチャネルを利用しうる。ロバストな干渉除去を実行するために、各ＳＴＡは、そのＳＴＡにどの空間ストリームが属しているかと、他のユーザにどの空間ストリームが属しているのかとを知ることが期待されうる。
【００４５】
ＷｉＦｉ帯域のためのより大きな遅延拡散サポート
[0059]高いアクセスポイント（ＡＰ）エレベーション（例えば、ピコ／マクロ・セル塔）を有する屋外のワイヤレスネットワークは、１μｓを優に超える高遅延拡散を有するチャネルを経験しうる。例えば８０２．１ｌａ／ｇ／ｎ／ａｃにしたがうもののようなさまざまなワイヤレスシステムは、送信フィルタおよび受信フィルタによって使用されるもののほぼ半分であるほんの８００ｎｓのサイクリック・プレフィクス（ＣＰ）長しか有していない２．４ＧＨｚおよび５ＧＨｚ帯域において、直交周波数分割多重（ＯＦＤＭ）物理レイヤ（ＰＨＹ）を利用する。したがって、これらタイプのシステムは、一般に、このような展開のために不適切であると考えられ得る。なぜなら、（例えば、ＭＳＣ０を超える）高い変調および符号化スキーム（ＭＣＳ）を有するＷｉＦｉパケットは、高い遅延拡散チャネルにおいて復号することが困難であるからである。
【００４６】
[0060]本開示の態様によれば、そのようなレガシー・システムとの後方互換性を有し、８００ｎｓよりも長いサイクリック・プレフィクスをサポートするパケット・フォーマット（ＰＨＹ波形）が提供され、高ＡＰを備える屋外展開における２．４ＧＨｚおよび５ＧＨｚのＷｉＦｉシステムの使用を可能にし得る。
【００４７】
[0061]本開示のいくつかの態様によれば、１ビットまたはそれ以上のビットの情報が、新たなデバイスが復号できるがレガシー（例えば、８０２．１１ａ／ｇ／ｎ／ａｃ）受信機による復号には影響を与えないＰＨＹ波形のプリアンブルにおけるレガシー・ショート・トレーニング・フィールド（Ｌ−ＳＴＦ）、レガシー・ロング・トレーニング・フィールド（Ｌ−ＬＴＦ）、レガシー信号フィールド（Ｌ−ＳＩＧ）、超高スループット信号（ＶＨＴ−ＳＩＧ）、および超高スループット・ショート・トレーニング・フィールド（ＶＨＴ−ＳＴＦ）のうちの１または複数に埋め込まれる。図５は、８０２．１ｌａ／ｇ、８０２．１１ｎ、および８０２．１１ａｃについての例示的な既存のプリアンブル・フレーム構造を例示する。
【００４８】
[0062]Ｌ−ＳＩＧは、二位相偏移変調（ＢＰＳＫ）変調される。ＨＴ−ＳＩＧは、直交ＢＰＳＫ（Ｑ−ＢＰＳＫ）変調される。ＶＨＴ−ＳＩＧの第２のＯＦＤＭシンボルは、Ｑ−ＢＰＳＫ変調される。「Ｑ」回転によって、受信機は、１１ａ／ｇ、１１ｎ、および１１ａｃ波形を区分できるようになりうる。
【００４９】
[0063]いくつかの態様の場合、１ビットまたはそれ以上のビットの情報が、新たなデバイスが復号できるが、レガシー１１ａ／ｇ／ｎ／ａｃ受信機による復号には影響を与えないＬ−ＳＴＦ、Ｌ−ＬＴＦ、Ｌ−ＳＩＧ、ＶＨＴ−ＳＩＧ、およびＶＨＴ−ＳＴＦのうちの１または複数に埋め込まれる。該１ビットまたはそれ以上のビットの情報は、レガシー・プリアンブルとの後方互換性を有し、すなわち、１ｌａ／ｇ／ｎ／ａｃデバイスは、プリアンブルを復号し、その後、送信が終了するまで、先送りすることが可能である。
【００５０】
[0064]いくつかの態様によれば、遅延拡散許容量のために、シンボル持続時間を増加させるために、異なる送信パラメータが使用され得る（例えば、同じサンプル・レートを維持しながら、サンプル・レートを実際に減少させる、または、ＦＦＴ長さを増加させるためのダウンクロックを行う）。シンボル持続時間は、許容量をより高い遅延拡散へ増加させるために、例えば２倍〜４倍へと増加されうる。この増加は、（同じＦＦＴ長さを有するより低いサンプリング・レートを用いて）ダウンクロックを行うことによって、または、サブ・キャリアの数を増加させる（同じサンプリング・レートであるが、ＦＦＴ長さが増加される）ことによって達成されうる。
【００５１】
[0065]シンボル持続時間の増加を用いることは、ＳＩＧフィールドにおいてシグナリングされうる物理レイヤ（ＰＨＹ）送信モードであると考えられ、通常の（normal）シンボル持続時間モードが維持されることを可能にしうる。「通常の（normal）」シンボル持続時間モードを維持することは（たとえ、それを用いることが可能なデバイスのためであっても）望ましいことでありうる。なぜなら、シンボル持続時間の増加は一般に、ＦＦＴサイズの増加を意味し、これは、周波数誤差に対するより高い感度、および、より高いＰＡＰＲをもたらすからである。さらに、ネットワーク内のすべてのデバイスが必ずしも、この増加された遅延拡散許容量を必要とする訳ではなく、そのようなケースでは、増加されたＦＦＴサイズは、実際にはパフォーマンスを低下させうる。
【００５２】
[0066]特定の実施に応じて、（例えば、サブ・キャリア数の増加による）そのようなＯＦＤＭシンボル持続時間増加は、すべてのパケット内のＳＩＧフィールドの後に生じうるか、または、いくつかのパケットについてのみシグナリングされうる。ＳＩＧフィールドは、（ＩＥＥＥ８０２．１１高効率ＷＬＡＮまたはＨＥＷスタディ・グループによって定義されたような）高効率ＳＩＧ（ＨＥ−ＳＩＧ）フィールドまたは（例えば、８０２．１１ａｃに関する）ＶＨＴ−ＳＩＧ−Ａフィールドでありうる。
【００５３】
[0067]すべてのパケットに適用されている訳ではないのであれば、（例えば、サブ・キャリアの数の増加による）ＯＦＤＭシンボル持続時間増加は、ＳＩＧフィールド内の情報がその変化をシグナリングするパケットのみの中のＳＩＧフィールドの後に生じうる。この情報は、ＳＩＧフィールド内のビットによって、ＳＩＧフィールド・シンボルのＱ−ＢＰＳＫ回転によって、または、ＳＩＧフィールドの何れかの直交レール（虚数軸）における隠し情報によって、伝送されうる。
【００５４】
[0068]増加したシンボル持続時間はまた、ＵＬ送信のためにも使用されうる。ＵＬ送信の場合、ＡＰは、次の送信が、増加されたシンボル持続時間でなされることをＡＰが望んでいることを、ＤＬメッセージによって示すことが可能である。例えば、ＵＬ  ＯＦＤＭＡでは、ＡＰは、トーン割当メッセージを送信しうる。これは、トーン割当を配信するとともに、ユーザに対して、より長いシンボル持続時間を使用するようにも伝える。そのケースでは、ＵＬパケット自体が、この数値変化に関するインジケーションを搬送する必要はない。なぜなら、ＡＰは、この送信を最初に開始し、ＵＬにおいてＳＴＡによって使用されるべきシンボル持続時間を決定したものであったからである。以下で（例えば、図１２Ａ〜図１２Ｃを参照して）さらに詳細に説明するように、いくつかのケースでは、プリアンブルの一部分が、プリアンブルのその後の部分に何らかのタイプの遅延拡散保護が適用されるであろうことを示すインジケーションを提供しうる。
【００５５】
[0069]このインジケーションは、（前述したように）プリアンブルにおいて伝送されうるか、または、ＤＬフレームのデータ・ペイロードにおける１またはそれ以上のビットを介して伝送されうる。そのようなペイロードは、増加したシンボル持続時間をサポートするデバイスによってのみ理解可能となる。さらに、ＵＬにおける増加したシンボル持続時間は、ＵＬパケット全体にも同様に適用されうる。代案として、このインジケーションはまた、ＤＬフレームとは別個に伝送されうる。例えば、ＵＬにおいて、増加したシンボル持続時間を用いることは、半持続的にスケジュールされ、ＳＴＡには、ＵＬ送信において、増加したシンボル持続時間を用いるべきであるか（否か）がシグナリングされる。このアプローチは、ＡＰが各ＤＬフレームにおいてシグナリングしなければならないことを省略しうる。
【００５６】
少なくとも部分的に反復された信号フィールドを有する例示的なＨＥＷプリアンブル構造
[0070]前述されたように、本開示の態様は、プリアンブル構造の１または複数の信号フィールドのうちのいくつかの部分またはすべての部分が反復された、様々な機能を有する（例えば、様々な基準に準拠する）デバイスによって復号可能なプリアンブル構造を提供する。
【００５７】
[0071]本明細書で提供されるプリアンブル構造は、ＨＥＷ（高効率ＷｉＦｉまたは高効率ＷＬＡＮ）のような高度なシステムで使用されうる。これらのプリアンブル・フォーマットは、前述されたアイデアのいくつかにおいて構築することと考えられうる。本明細書に表されたプリアンブル・フォーマットは、ＨＥＷデバイスのＳＩＧフィールドでさえも、８０２．１１ｎ、８０２．１ｌａ、および８０２．ａｃパケットとの自動検出を実行する現在のメカニズムを維持しながら遅延拡散保護を有しうるスキームを提供する。
【００５８】
[0072]本明細書に提示されたプリアンブル・フォーマットは、前述した１１ａｃ（ミックス・モード・プリアンブル）におけるような、Ｌ−ＳＩＧベースの先送りを維持しうる。（８０２．１１ａ／ａｎ／ａｃ局によって復号可能な）プリアンブルのレガシー・セクションを有することは、同じ送信においてレガシー・デバイスとＨＥＷデバイスとを混合することを容易にしうる。高データ・レート・レジームでは、デバイスは、プリアンブルをかなり頻繁に見る場合がある。本明細書で提供されるプリアンブル・フォーマットは、ＨＥＷ  ＳＩＧにおける保護を提供することを支援しうる。これは、ロバストなパフォーマンス（例えば、比較的厳しい標準試験シナリオにおける１％ＳＩＧ誤り率に及ぶ）の達成に役立ちうる。
【００５９】
[0073]図５は、本開示の諸態様による、例示的なＨＥＷプリアンブル・フォーマット５００，５１０および５２０を有するパケットを示す。示されるように、例示的なフォーマット５００は、レギュラー（regular）な（反復されていない）ＨＥ−ＳＩＧ１フィールド５０６が後続する、反復されたＨＥ−ＳＩＧ０フィールド部分５０４を含みうる。示されるように、例示的なフォーマット５１０は、反復されたＨＥ−ＳＩＧ０フィールド部分５０４のみならず、反復されたＨＥ−ＳＩＧ１フィールド部分５１６をも含みうる。前述したように、信号フィールドのすべてが反復されうるか、または一部分だけが反復され、例えば、反復された部分の特定のトーンがパンクチャされる。示されるように、例示的なフォーマット５２０は、たとえば、前述されたメカニズムのうちの１つを使用する遅延拡散保護（ＤＳＰ）を有するＨＥ−ＳＩＧ１フィールド５２６（例えば、ＨＥ−ＳＩＧ０に比べて、ＨＥ−ＳＩＧ１フィールド５２６についてより長いサイクリック・プレフィクスを持つ）を含みうる。
【００６０】
[0074]図６は、ＶＨＴプリアンブル・フォーマット６１０と比較された例示的なＨＥＷプリアンブル・フォーマット６２０を示す。示されるように、ＨＥＷプリアンブル・フォーマット６２０は、第１のタイプのデバイス（例えば、８０２．１ｌａ／ａｃ／ｎデバイス）によって復号可能な１または複数の信号（ＳＩＧ）フィールドと、第２のタイプのデバイス（例えば、ＨＥＷデバイス）によって復号可能な１または複数のＳＩＧフィールド（例えば、ＨＥ−ＳＩＧ０およびＨＥ−ＳＩＧ１）とを含みうる。８０２．１１１／ａｃ／ｎデバイスのようないくつかのデバイスは、Ｌ−ＳＩＧ  ６２２における持続時間フィールドに基づいて先送りしうる。Ｌ−ＳＩＧは、反復された高効率ＳＩＧ０（ＨＥ−ＳＩＧ０）フィールド６２４によって後続されうる。例示されるように、あるポイント６１２では、反復されたＨＥ−ＳＩＧ０フィールド６２４の後、デバイスは、すでに、このパケットがＶＨＴパケットであるか否かを知っているので、パケットの残りの部分を復号する必要があるか否かを知っている。
【００６１】
[0075]図６Ｂに示されるように、反復されたＨＥ−ＳＩＧ０フィールド６２４を構築するために、ＨＥ−ＳＩＧ０フィールドのいくらかまたはすべてを反復するために、さまざまなメカニズムが使用されうる。例えば、１つの構造６３０は、ＨＥＷデバイスのためにＨＥ−ＳＩＧ０へ保護を与えるノーマルなガード・インタバル（ＧＩ）を各々の前に置いて、ＨＥ−ＳＩＧ０フィールドを反復することによって、構築されうる。別の例として、構造６４０は、ノーマルなガード・インタバル（ＧＩ）によって囲まれたＨＥ−ＳＩＧ０フィールドを反復することによって構築されうる一方、別の構造６５０は、拡張されたＧＩ（例えば、ノーマルＧＩに対して２倍の長さ／持続時間）を前置されたＨＥ−ＳＩＧ０フィールドを反復することによって構築されうる。
【００６２】
[0076]いくつかのケースでは、反復されたＳＩＧ０フィールドは、必要ではないことがありうる。したがって、示されるように、別の例示的な「ヌル構造６６０」は、反復されたＳＩＧ０フィールドを表さない。結果として得られるプリアンブル構造６７０が図６Ｃに図示されている。これは、反復されたＨＥ−ＳＩＧ０部分６２４を欠いている。示されるように、例示的なプリアンブル構造６７０では、ＨＥ−ＳＩＧ１フィールド６２６は、Ｌ−ＳＩＧフィールド６２２に後続しうる。
【００６３】
[0077]１または複数の信号フィールドを反復することは、さまざまな利点を有しうる。例えば、ＨＥ−ＳＩＧ０における反復利得は、ＳＮＲ動作ポイントを低下させ、したがって、ＨＥ−ＳＩＧ０を、シンボル間干渉（ＩＳＩ）に対してよりロバストにする。Ｌ−ＳＩＧ後の２シンボルに対するＱ−ＢＰＳＫチェックに基づくパケット・タイプ検出が悪影響を受けないので、Ｌ−ＳＩＧは依然として６Ｍｂｐｓを搬送しうる。
【００６４】
[0078]ＨＥＷパケットをＨＥＷデバイスへシグナリングするために、さまざまな技術が使用されうる。例えば、ＨＥＷパケットは、Ｌ−ＳＩＧにおける直交レール・インジケーションを配置することによって、ＨＥ−ＳＩＧ０反復の自己相関によって、またはＨＥ−ＳＩＧ０におけるＣＲＣチェックに基づいて、シグナリングされうる。
【００６５】
[0079]また、ＨＥ−ＳＩＧ１における遅延拡散保護を提供するためのさまざまなオプションも存在しうる。例えば、ＨＥ−ＳＩＧｌは、追加の遅延拡散保護を提供するために、（２０ＭＨｚで）１２８トーンを通じて送信されうる。これは、ＨＥ−ＳＩＧ１において１．６ｕｓのＧＩを与えるが、Ｌ−ＬＴＦについて計算されたチャネル推定値の補間を必要とする。別の例として、ＨＥ−ＳＩＧ１は、同じシンボル持続時間を有しうるが、１．６ｕｓのＣＰで送信されうる。これは、（２５％である従来の値よりも）多くのＣＰオーバヘッドをもたらしうるが、補間を必要としない。
【００６６】
[0080]いくつかのケースでは、遅延拡散保護のために、ＨＥ−ＳＩＧ１は、より長いＣＰを有するように設計されうる。これは、例えば、（１）トーン幅をレガシー８０２．１１システムと同じに保ちながら、システム持続時間の２５％よりも長くＣＰを拡張することによって、および／または（２）トーン幅を半分にし、したがって、シンボル持続時間全体を２倍（その他の倍数もまた可能である）に拡張することによって、得られうる。
【００６７】
[0081]ＨＥ−ＳＩＧ０にＢＷビットが配置されるのであれば、ＨＥ−ＳＩＧ１は、（２０ＭＨｚ毎に反復する必要なく）潜在的に全ＢＷにわたって送信されうる。
【００６８】
[0082]図６Ｂの構造６４０に図示されるように、末尾にＧＩを有する第２のＨＥ−ＳＩＧ０を有するＬ−ＳＩＧ後にＨＥ−ＳＩＧ０を反復することは、ＨＥＷデバイスについてＨＥ−ＳＩＧ０へ保護を与えうる。ＨＥ−ＳＩＧ０セクションの中央部分が、比較的大きなＣＰを有するＨＥ−ＳＩＧ０シンボルとして表れうることが注目されうる。この例では、Ｌ−ＳＩＧ後の最初のシンボルにおけるＱ−ＢＰＳＫチェックは、影響を受けない。第２のシンボルにおけるＱ−ＢＰＳＫチェックは、ランダムな結果を与えうる（なぜなら、ＧＩは末尾にあるので）が、ＶＨＴデバイスのために何ら悪影響を与えない。言い換えれば、デバイスがパケットを８０２．１１ａｃとして分類したときには、ＶＨＴ−ＳＩＧ  ＣＲＣは誤りとなり、そして、Ｌ−ＳＩＧ持続時間に基づいて先送りすることになり、これは、デバイスがパケットを８０２．１１ａとして分類する場合とまったく同じ挙動である。
【００６９】
[0083]全体的な自動検出が、このアプローチを用いて依然として良好に動作しうるので、Ｌ−ＳＩＧは、依然として６Ｍｂｐｓを伝送しうる。前述したように、ＨＥＷパケットをＨＥＷデバイスにシグナリングするために、さまざまな技術が使用されうる。例えば、ＨＥＷパケットは、Ｌ−ＳＩＧにおける直交レール・インジケーションを配置することによって、ＨＥ−ＳＩＧ０反復の自己相関によって、またはＨＥ−ＳＩＧ０におけるＣＲＣチェックに基づいてシグナリングされうる。
【００７０】
[0084]図６Ｂの構造６５０によって例示されるように、２倍のＧＩ（Double GI）を有するＬ−ＳＩＧの後に反復されたＨＥ−ＳＩＧ０を配置することは、ＨＥＷデバイスのためにＨＥ−ＳＩＧ０へ保護を与えうる。しかしながら、反復を備えたＤＧＩは、Ｌ−ＳＩＧ後の最初の２シンボルにおけるＱ−ＢＰＳＫチェックに基づいて、検出に影響を与えうる。その結果、Ｌ−ＳＩＧは、９Ｍｂｐｓのレートを搬送する必要がありうる。
【００７１】
[0085]構造６３０、６４０、または６５０の何れかにおいて、ＧＩは、各アプローチと同じであるか、または異なりうる。さらに、ＨＥ−ＳＩＧ０フィールドは、（例えば、反復されたフィールドが切り詰められ（truncated）、または、部分的な反復について特定のトーンがパンクチャされて）異なっている場合もありうる。いくつかのケースでは、周波数と時間との複合反復のために、ＨＥ−ＳＩＧ１の持続時間は、２シンボルに限定されないことがありうる。例えば、時間と周波数との両方における複製が使用されるのであれば、ＨＥ−ＳＩＧ１持続時間は、４シンボルでありうる。この設計は、低いＭＣＳモードについて有益でありうる。
【００７２】
[0086]さまざまな最適化が、図５〜図６に図示されるもののようなプリアンブル・フォーマットのために提供されうる。例えば、オーバヘッドを節約するために、第２のＨＥ−ＳＩＧ０シンボルを切り詰め、次のシンボルをより早く開始させることが可能でありうる。さらに、ＨＥ−ＬＴＦの後にＳＩＧ−Ｂを有することにいくらかの利益が存在しうる。これは、ＭＵ−ＭＩＭＯについてユーザ毎のビットを提供しうる。
【００７３】
[0087]さまざまなビット割当が、ＨＥ−ＳＩＧ  ０フィールドのために可能である。例えば、帯域幅（ＢＷ）インジケーションのために２〜３ビット、８ビットの長さインジケーション、より長いシンボルを示すために１ビットが使用され、２〜３の予約ビット、ＣＲＣのための４ビット、６テール・ビットが存在しうる。より長いシンボルＯＮビットがＨＥ−ＳＩＧ０に提供される場合、これは、以下のうちの何れかをシグナリングするために使用されうる。すなわち、ＨＥ−ＳＩＧ１が遅延拡散保護を有し、ＨＥ−ＳＩＧ１の後のすべて（everything after HE-SIG1）が、増加したＦＦＴサイズを使用すること、または、ＨＥ−ＳＩＧ１の後のすべてが、増加したＦＦＴサイズを有すること。後者のケースでは、ＨＥ−ＳＩＧ１は常に遅延拡散保護を有しうる。
【００７４】
[0088]図７は、本開示の特定の態様による、例えばアクセスポイント（ＡＰ）によって実行されうる例示的な動作７００を示す。示されるように、７０２では、ＡＰは、第１の機能のセットを有する第１のタイプのデバイスと、第２の機能のセットを有する第２のタイプのデバイスとによって復号可能なプリアンブルを有するパケットを生成しうる。このプリアンブルは、少なくとも１つの反復信号（ＳＩＧ）フィールドを備える。７０４では、ＡＰは、このパケットを送信しうる。
【００７５】
[0089]図８は、本開示の特定の態様による、例えば局によって実行されうる例示的な動作８００を示す。この動作８００は、ＡＰにおいて実行される動作８００に対して相補的なものとみなされうる。
【００７６】
[0090]８０２では、局は、第１の機能のセットを有する第１のタイプのデバイスと、第２の機能のセットを有する第２のタイプのデバイスとによって復号可能なプリアンブルを有するパケットを受信しうる。このプリアンブルは、少なくとも１つの反復信号（ＳＩＧ）フィールドを備える。８０４では、局は、（例えば、パケットの残りの部分を処理すべきかどうかを決定するために）反復ＳＩＧフィールドを処理する。
【００７７】
[0091]いくつかのケースでは、図９Ａに示されるように、プリアンブル構造９００は、Ｌ−ＳＩＧフィールドのための保護を提供するために、（例えば、時間におけるプレーンなシンボル・レベルの反復、または、ＨＥ−ＳＩＧ０に関して図５〜図６に図示される反復のタイプのうちの１つで）（Ｌ−ＳＩＧフィールド６２２のいくらかまたはすべてを反復する）反復Ｌ−ＳＩＧフィールド９２２を有しうる。Ｌ−ＳＩＧは、完全に反復されるか、または、部分的に反復されうる。部分的なＬ−ＳＩＧ反復は、例えば、偶数トーン、奇数トーン、またはこれらの何らかの組合せのみでＬ−ＳＩＧを反復することによって達成されうる。これは、反復Ｌ−ＳＩＧ  ９２２のいくつかのトーンをパンクチャすることと等価でありうる。いくつかのケースでは、複数のシンボルにわたって時間領域電力を一定にするために、反復トーンに電力ブーストが適用されうる。例えば、偶数トーンのみが第２のＬ−ＳＩＧにおいて反復されるのであれば、３ｄＢ電力ブーストがこれら反復された偶数トーンのために適用されうる（例えば、パイロット・トーンについて電力が変動しない）。
【００７８】
[0092]Ｌ−ＳＩＧ反復は、ＨＥ−ＳＩＧフィールドの時間において前述された反復と同様に達成され、いくつかのケースでは、ＨＥ−ＳＩＧ０フィールド６２４はまた、図６Ｂを参照して前述された反復についてのオプションのうちの何れかを用いて反復されうる。図９Ｂに示されるように、いくつかのケースでは、プリアンブル構造９１０は、反復されたＨＥ  ＳＩＧ０フィールド６２４を欠くことがある。
【００７９】
[0093]Ｌ−ＳＩＧフィールドを反復することは、さまざまな利益を有しうる。例として、これは、Ｌ−ＳＩＧにおける持続時間フィールドが、ＨＥＷデバイスのために使用されることを可能にしうる。さらに、ＨＥＷパケットを検出するためにＬ−ＳＩＧ反復を用いることは、前の提案のように、ＨＥＷを検出するためにＨＥ−ＳＩＧ０反復を用いたのであれば、Ｌ−ＳＩＧ後の最初の２シンボルを持つ８０２．１１ａパケットが同じように見え、ＨＥＷデバイスにおいて決して終わらない（never get through at HEW devices）という潜在的な問題に対処しうる。このようにＬ−ＳＩＧフィールドを反復することは、任意のタイプの反復ＨＥ−ＳＩＧ０（および／またはＨＥ−ＳＩＧ１）フォーマットとの組合せにおいて使用され、それでもなお、（回転された第２のＳＩＧフィールドに基づいて）自動検出を可能にし、そしてまた、増加されたＣＰを有するＨＥ−ＳＩＧフィールドと協働しうる。
【００８０】
[0094]図１０Ａに示されるように、ＨＥ−ＳＩＧ０フィールドのいくらかまたはすべてを反復することの代替案として（またはそれに加えて）、プリアンブル構造１０００は、ＨＥ−ＳＩＧ１フィールドのいくらかまたはすべてを反復することによって構築された反復ＨＥ−ＳＩＧ１フィールド１０２６を含みうる。図１０Ｂに示されるように、反復されたＨＥ−ＳＩＧ１フィールドは、反復されたＨＥ−ＳＩＧ０フィールについて前述されたさまざまなオプションを用いて構築されうる。例えば、反復されたＨＥ−ＳＩＧ１フィールド１０２６は、各部分がノーマルＧＩによって前置されたＨＥ−ＳＩＧ１フィールドのうちのいくらかまたはすべてを反復することによって（構造１０３０）、反復された部分がノーマルＧＩによって囲まれた「反転された反復」によって（構造１０４０）、または、反復部分の前に２倍のＧＩを置くことによって（構造１０５０）、構築されうる。
【００８１】
[0095]図１１Ａに図示されるように、プリアンブル構造１１００は、周波数および／または時間領域反復を用いて構築された反復されたＨＥ−ＳＩＧ０フィールド１１２４およびＨＥ−ＳＩＧ１フィールド１１２４のうちの１つまたは両方を有しうる。例えば、図１１Ｂは、反復ＨＥ−ＳＩＧ０フィールド１１２４が、（異なる周波数リソースを用いて）周波数で反復された部分１１５２および１１５４を用いて生成された、例示的なプリアンブル構造１１５０を示す。同様に、図１１Ｃは、反復ＨＥ−ＳＩＧ０フィールド１１２６が、周波数で反復された部分１１６２および１１６４を用いて生成された、例示的なプリアンブル構造１１６０を示す。これらの例では、例えば、前述された時間領域反復と比較された場合に２倍の多さのトーンが使用されうるが、時間において半分の持続時間である。
【００８２】
[0096]周波数領域反復は、一般に、任意の適切な方式で、例えば、サブ・キャリア上のデータが他の何らかのサブ・キャリア上で反復されて、実行されうる。一例として、（図１１Ｂまたは図１１Ｃには明示的に図示されていないが）いくつかの態様によれば、偶数サブ・キャリアがデータで満たされ、奇数サブ・キャリアがデータのコピーで満たされうる。いくつかのケースでは、やり過ぎであるかもしれないが、（ＨＥ−ＳＩＧ０１および／またはＨＥ−ＳＩＧ１のために）時間と周波数との両方の領域において反復を実行することが望ましいといういくつかのシナリオが存在しうる。
【００８３】
[0097]いくつかのケースでは、プリアンブルの一部分が、他の部分よりも低いデータ・レート（例えば、より低いＭＣＳ）で送信されうる。これは、より良好な検出およびより良好なチャネル推定のような利点を提供しうる。いくつかのケースでは、非反復ＳＩＧフィールド（例えば、ＨＥ−ＳＩＧ１フィールド）が、より低いレートで送信されうる。いくつかのケースでは、低レート・パケットのためにＬ−ＳＴＦおよび／またはＬ−ＬＴＦの送信電力を（例えば、３ｄＢ）ブーストすることによって、および／または、より長いＬ−ＳＴＦセクションを有することによって、検出が高められうる。いくつかのケースでは、より短いトレーニング・フィールドが追加されうる。さらに、プリアンブルは、パケットが（より低いレートで送信される部分を持つ）低レート・パケットであるか否かを示すインジケーションをシグナリングしうる。このインジケーションは、例えば、ＨＥ−ＳＩＧ０フィールドにおいてシグナリングされうる。
【００８４】
[0098]低レート・モードが示されるパケットでは、データ・セクションがより低いレートになることに加えて、その他さまざまな特徴が存在しうる。例えば、ＨＥ−ＳＩＧ１フィールドが（反復またはより低いコード・レートで達成されうる）より低いＭＣＳで送信されうるか、および／または、増加された数のＬＴＦが、データ復号のためにＨＥ−ＳＩＧ１の後に追加されうる。
【００８５】
[0099]本明細書に記載された技術は、例えば、追加の遅延拡散保護を提供するためにＨＥ−ＳＩＧ１が１２８トーンにわたって（２０ＭＨｚで）送信される、または、ＨＥ−ＳＩＧ１が（ノーマルと）同じシンボル持続時間を有する、ただし、より長いＣＰを用いて送信される、ＨＥ−ＳＩＧ１送信のためのさまざまなオプションを提供する。別の例として、ＨＥ−ＳＩＧ１は、２５６トーンにわたって（２０ＭＨｚで）送信されうる。その他のさまざまな可能性もまた、ＨＥ−ＳＩＧ１の送信について利用可能である。例えば、図１０Ａおよび図１０Ｂに示されるように、増加された遅延拡散保護が必要とされる場合には常に、ＨＥ−ＳＩＧ１を参照して前述したように、ＨＥ−ＳＩＧ１もまた反復されうる。
【００８６】
[0100]前述したように、ＨＥ−ＳＩＧ０遅延拡散保護のすべてのオプションが、ＨＥ−ＳＩＧ１のためにも同様に使用されうる。時間および／または周波数においてＳＩＧフィールド（例えば、ＨＥ−ＳＩＧ０および／またはＨＥ−ＳＩＧ１）を反復する本明細書で提示される技術の利益は、例えば、ＨＥ−ＳＩＧ１遅延拡散保護がＨＥ−ＳＩＧ０と同じにとどまる（例えば、これはフェーズ・トラッキング・ループ等の一様性を可能にしうる）など、より低いＳＩＮＲパフォーマンス（低レート・モードのために必要とされる、より低いＳＩＮＲ設定点を可能にする）、およびさほど厳しくない処理タイムラインの、改善された遅延拡散を含みうる。
【００８７】
遅延拡散保護をシグナリングするためのオプション
[0101]前述された本開示の態様は、例えば、時間領域反復、反転ＧＩベースの反復（循環的なコピー（cyclic copy））、および／またはＳＩＧシンボルの周波数領域反復のうちの１または複数を用いて、反復によって特定のＳＩＧフィールド（例えば、ＨＥ−ＳＩＧ０）の検出可能性を高めるための技術を提供する。
【００８８】
[0102]プリアンブルの１つの部分の終了部（end）内でまたは少なくともその前に（先行して）、プリアンブルの後続部分に適用されるべき遅延拡散保護のインジケーションをシグナリングするために、さまざまな技術が使用されうる。言い換えると、そのようなシグナリングは、例えば、反復されたＳＩＧフィールドの後、特定のフィールドがどのようにして送信されるのかに関する情報を提供しうる。例えば、図１２Ａの例示的なプリアンブル構造１２１０に図示されるように、ＳＩＧフィールド（例えば、前述したように時間および／または周波数において反復されうるＨＥ−ＳＩＧ０）を反復した後、後続するＳＩＧフィールド（例えば、図５に図示される例示的なプリアンブル構造５００におけるように反復のないレギュラーな４ｕｓシンボルを有するＨＥ−ＳＩＧ１  ５０６）のために、ノーマルＳＩＧ構造が使用されうる。しかしながら、いくつかのケースでは、反復されたＳＩＧフィールドに後続するＳＩＧフィールドについての遅延拡散保護を増加させることが所望されうる。遅延拡散保護は、例えば、ＳＩＧフィールド（例えば、図５に図示された例示的なプリアンブル構造５１０におけるような反復されたＨＥ−ＳＩＧ１  ５１６）を反復することによって、または、ＳＩＧフィールド（例えば、図５に図示された例示的なプリアンブル構造５２０におけるようなノーマルＣＰに対して増加されたＣＰを有するＨＥ−ＳＩＧ１  ５２６）のためにより長いＣＰを有することによって、提供されうる。増加されたＣＰは、信号の一部分が反復されたような、部分的な形式の反復と考えられうる。
【００８９】
[0103]そのような（ＨＥ−ＳＩＧ１フィールドの）遅延拡散保護は、すべてのパケットに存在する訳ではないので、ＨＥ−ＳＩＧ１の構造（それが遅延拡散保護を有しているか否か）をシグナリングする必要がない場合がある。したがって、図１２Ａに例示されるように、遅延拡散保護（ＤＳＰ）がＨＥ−ＳＩＧ１フィールドのために提供されているか否か（および、場合によってはどのタイプか）を示すインジケータ１２１２が、反復されたＨＥ−ＳＩＧ０フィールド内（または、少なくともその終了部（end）の前）に提供されうる。いくつかのケースでは、（増加されたＣＰに起因して）サンプルの場所がレギュラーパケットとは異なる場合、この構造の早期のインジケーションが所望されうる。いくつかのケースでは、パケットのタイプを示すインジケーションが、反復されたＳＩＧフィールド内のチェックサムによって提供されうる。
【００９０】
[0104]同様の方式で、図１２Ｂに示される反復されたＬ−ＳＩＧフィールドを備えた例示的なプリアンブル構造１２２０に示されるように、後続するＨＥ−ＳＩＧ０フィールドおよび／またはＨＥ−ＳＩＧ１フィールドのために遅延拡散保護（ＤＳＰ）が提供されるか否かを示すインジケータ１２２２が、反復されたＬ−ＳＩＧフィールド内（または、少なくともその終了前）に提供されうる。
【００９１】
[0105]ＤＳＰインジケーションについての１つのオプションは、（早期に生じた）反復されたＳＩＧフィールドのパイロット・トーンを用いて構造をシグナリングすることでありうる。しかしながら、レギュラー・レガシー・パイロット・トーン（例えば、２０ＭＨｚトーン・プランの他のすべてのトーンにおけるＨＥ−ＳＩＧ０の−２１、−７、７、および２１は、非パイロット・トーンと考えられうる）を用いてシグナリングすることは、パフォーマンスに悪影響を及ぼしうる。例えば、第１のシンボルのパイロット・トーンが、このシグナリングのために使用されているのであれば、いくつかのデバイスが（レガシー・パイロット・トーンが使用される場合に被りうる）位相補正後に自動検出を行いうるので、特定のタイプのパケットを検出する際にフォールスアラーム（例えば、８０２．１１ｎフォールスアラーム）を引き起こしうる。
【００９２】
[0106]一般的な注意として、いくつかのケースでは、例えば、反復されたＬ−ＳＩＧまたはＨＥ−ＳＩＧ０における非パイロット・トーンは、パケットがＨＥＷパケットであることを（例えば、本明細書で表されたさまざまな特徴のうちの１または複数を用いて）伝えるために使用されうる。
【００９３】
[0107]いくつかのケースでは、パイロット・トーンを用いることの悪影響が、シグナリング情報を別の方式で送信することによって回避されうる。例えば、いくつかの態様によれば、このシグナリング情報は、反復されたＳＩＧフィールド（例えば、ＨＥ−ＳＩＧ０）の偶数トーン（even tones）、または、その他任意の非レガシー・パイロット・トーンで送信されうる一方、ノーマルパイロット（または、少なくともそれらのサブセット）は、（特定のパイロット・トーンで）送信されうる。いくつかのケースでは、例えば、デバイスが、位相推定のために最大比合成（ＭＲＣ）を行い、何も送信されないパイロット・トーンに対して低い重みしか与えないのであれば、正しくポピュレートされたパイロット・トーンのサブセットを有することが可能でありうる。いくつかのケースでは、シグナリングすることは、第２のＨＥ−ＳＩＧ０シンボルのレギュラー・パイロット・トーンで送信されうる（一方、ノーマルパイロットは、第１のシンボルにおけるこれらトーンで送信される）。これは、Ｌ−ＳＩＧ後の第２のシンボルに対する（パケット・タップ検出についての）ランダムなＱ−ＢＰＳＫチェック結果の影響がさほど壊滅的ではないので、可能となり得る。
【００９４】
[0108]遅延拡散保護シグナリングのための他のオプションは、（例えば、前述したように）反復されたＨＥ−ＳＩＧフィールドにおける明示的なビットを用いること、または、（例えば、遅延拡散保護を示す直交レールの使用の検出とともに）２つのシンボルにわたってＨＥ−ＳＩＧ０の直交レール（例えば、位相外成分）を用いてシグナリングすることを含む。いくつかのケースでは、図１２Ａに示されるオプションについて、ＨＥ−ＳＩＧ０とＨＥ−ＳＩＧ１との合同符号化（joint encoding）がシグナリングのために使用され、これによって、ＨＥ−ＳＩＧ１自己相関が、遅延拡散保護を検出するために使用されうる。このオプションを用いて、受信デバイスは、第１の反復されたＳＩＧフィールドの後、２つのシンボルの自己相関を計算することによって、遅延拡散保護を検出しうる。言い換えれば、ＨＥ−ＳＩＧ１が反復されるか否かは、我々に、遅延拡散保護のタイプを伝えてくれる。そのようなメカニズムを用い、明示的なビットを用いない１つの潜在的な副次的利点は、（ともに反復された）第１および第２のＳＩＧフィールドが合同で符号化されうることである。
【００９５】
[0109]ＤＳＰインジケータをシグナリングするためのさまざまな例示的な技術は、図１２Ｃに要約される。例えば、前述したように、ＤＳＰインジケータは、１２２４に図示されるようなＨＥ−ＳＩＧ０（またはＬ−ＳＩＧ）の偶数トーン、１２２６に図示されるような非レガシー・パイロット・トーン、１２２８に図示されるようなＨＥ−ＳＩＧ０（またはＬ−ＳＩＧ）の第２のシンボルのレギュラー・パイロット・トーン、１２３０に図示されるようなＨＥ−ＳＩＧ０（またはＬ−ＳＩＧ）のシンボルにわたる直交レールによって、または１２３２に図示されるような非パイロット・トーンを用いることによって、シグナリングされうる。さらに、１２３４に図示されるように、いくつかのケースでは、信号フィールドがどのようにして反復されるのかが、インジケーションとして使用されうる。例えば、（第１の部分に対して）反復された部分のビットを反転すること（フリッピング）は、インジケーションＤＳＰが後続するフィールドに適用されるときに使用されうる一方、反復された部分の非反転ビットは、後続するフィールドにＤＳＰが適用されていないことを示す。１２３６において図示されるように、いくつかのケースでは、明示的なビットが含まれうる。そのような明示的なビットは、例えば、反復されたＨＥ−ＳＩＧ０フィールドにおけるＤＳＰインジケーションとして使用されうる。しかしながら、Ｌ−ＳＩＧフィールドにおける明示的なインジケーションを提供するために利用可能なそのようなビットが存在しないことがありうる。
【００９６】
[0110]上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション（means-puls-function）構成要素を有しうる。例えば、図７および図８に例示されるような動作７００および動作８００は、図７Ａおよび図８Ａに例示されるような手段７００Ａおよび手段８００Ａに対応しうる。
【００９７】
[0111]例えば、送信する手段は、例えば、図２に例示されたアクセスポイント１１０の送信機ユニット２２２、図２に図示されたユーザ端末１２０の送信機ユニット２５４、または、図３に示されたワイヤレスデバイス３０２の送信機３１０のような送信機を備えうる。受信する手段は、例えば、図２に例示されたアクセスポイント１１０の受信機ユニット２２２、図２に図示されたユーザ端末１２０の受信機ユニット２５４、または、図３に示されたワイヤレスデバイス３０２の受信機３１２のような受信機を備えうる。処理する手段、判定する手段、変更する手段、生成する手段、補正する手段、および／または、チェックする手段は、例えば、図２に例示するように、ユーザ端末１２０のＲＸデータ・プロセッサ２７０および／またはコントローラ２８０、または、アクセスポイント１１０のＲＸデータ・プロセッサ２４２および／またはコントローラ２３０のように、１または複数のプロセッサを含みうる処理システムを備えうる。
【００９８】
[0112]本明細書で使用される場合、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を行うことを含みうる。
【００９９】
[0113]本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【０１００】
[0114]本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１つまたは複数のマイクロ・プロセッサ、またはその他任意のこのような構成であるコンピューティング・デバイスの組み合わせとして実現されうる。
【０１０１】
[0115]本開示に関連して記載される方法またはアルゴリズムのステップは、ハードウェアで直接的に、プロセッサによって実行されるソフトウェア・モジュールで、あるいは、これらの組み合わせで具体化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュ・メモリ、ＥＰＲＯＭメモリ、ＥＥＰＲＯＭ（登録商標）メモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【０１０２】
[0116]本明細書で開示された方法は、説明された方法を達成するための１つまたは複数のステップまたは動作を備える。方法ステップおよび／または動作は、特許請求の範囲から逸脱せずに相互に置換されうる。言い換えると、ステップまたは動作の特定の順序が指定されていない限り、特定のステップおよび／または動作の順序および／または使用は、特許請求の範囲から逸脱せずに変更されうる。
【０１０３】
[0117]記載された機能は、ハードウェア、ソフトウェア、ファームウェア、あるいは、これらの任意の組み合わせによって実現されうる。ハードウェアで実現される場合、ハードウェア構成の例は、ワイヤレスノード内の処理システムを備えうる。処理システムは、バス・アーキテクチャを用いて実現されうる。バスは、全体的な設計制約および処理システムの特定の用途に依存して、任意の数の相互接続バスおよびブリッジを含みうる。バスは、プロセッサ、機械読取可能な媒体、およびバス・インタフェースを含む回路をともにリンクしうる。バス・インタフェースは、とりわけ、ネットワーク・アダプタを、バスを介して、処理システムへ接続するために使用されうる。ネットワーク・アダプタは、物理レイヤの信号処理機能を実現するために使用されうる。ユーザ端末１２０（図１を参照）の場合には、ユーザ・インタフェース（例えば、キーパッド、ディスプレイ、マウス、ジョイスティック等）も、バスに接続されうる。バスはさらに、例えば、タイミング・ソース、周辺機器、電圧制御装置、および電力管理回路等のようなその他さまざまな回路をリンクしうる。これらは、当該技術分野で良く知られているので、さらなる説明はしない。
【０１０４】
[0118]プロセッサは、バスの管理、および、機械読取可能な媒体に格納されたソフトウェアの実行を含む一般的な処理を担当する。プロセッサは、１または複数の汎用プロセッサおよび／または特別目的プロセッサを用いて実現されうる。例は、マイクロ・プロセッサ、マイクロコントローラ、ＤＳＰプロセッサ、および、ソフトウェアを実行することができるその他の回路、を含みうる。ソフトウェアは、ソフトウェア、ファームウェア、ミドルウェア、マクロコード、ハードウェア記述言語、あるいはその他で称されようとも、命令群、データ、あるいは、これらの任意の組み合わせを意味するように広く解釈されるものとする。機械読取可能な媒体は、例によれば、ＲＡＭ（ランダム・アクセス・メモリ）、フラッシュ・メモリ、ＲＯＭ（リード・オンリー・メモリ）、ＰＲＯＭ（プログラマブル・リード・オンリー・メモリ）、ＥＰＲＯＭ（消去可能プログラマブル・リード・オンリー・メモリ）、ＥＥＰＲＯＭ（電気的消去可能プログラマブル・リード・オンリー・メモリ）、レジスタ、磁気ディスク、光ディスク、ハード・ドライブ、またはその他任意の適切な記憶媒体、あるいはこれら任意の組み合わせを含みうる。機械読取可能な媒体は、コンピュータ・プログラム製品内に組み込まれうる。コンピュータ・プログラム製品は、パッケージング・マテリアルを備えうる。
【０１０５】
[0119]ハードウェアによる実施では、機械読取可能な媒体は、プロセッサとは別の処理システムの一部でありうる。しかしながら、当業者であれば容易に理解するであろうが、機械読取可能な媒体またはその任意の部分は、処理システムの外部にありうる。例によれば、機械読取可能な媒体は、伝送路、データによって変調されたキャリア波、および／または、ワイヤレスノードから分離したコンピュータ製品を含みうる。これらすべては、バス・インタフェースを介してプロセッサによってアクセスされうる。あるいは、または、それに加えて、機械読取可能な媒体またはこれら任意の部分は、キャッシュおよび／または汎用レジスタ・ファイルによくあるように、プロセッサへ統合されうる。
【０１０６】
[0120]処理システムは、プロセッサ機能を提供する１または複数のマイクロ・プロセッサと、機械読取可能な媒体のうちの少なくとも一部を提供する外部メモリと、を備える汎用処理システムとして構成されうる。１または複数のマイクロ・プロセッサと外部メモリはすべて、外部バス・アーキテクチャを介して他の支援回路にリンクされている。あるいは、処理システムは、プロセッサと、バス・インタフェースと、アクセス端末の場合、ユーザ・インターフェースと、サポート回路と、単一チップへ組み込まれた機械読取可能な媒体の少なくとも一部とを備えた、あるいは、１または複数のＦＰＧＡ（フィールド・プログラマブル・ゲート・アレイ）と、ＰＬＤ（プログラム論理回路）と、コントローラと、ステート・マシンと、ゲート・ロジックと、ディスクリート・ハードウェア構成要素と、またはその他の適切な回路とを備えた、あるいは、本開示を通じて記載されたさまざまな機能を実行しうる回路の任意の組み合わせを備えた、ＡＳＩＣ（特定用途向けＩＣ）を用いて実現されうる。当業者であれば、システム全体に課せられる全体的な設計制約および特定のアプリケーションに依存して、処理システムのために、記載された機能をどうやって最良に実施するかを認識するだろう。
【０１０７】
[0121]機械読取可能な媒体は、多くのソフトウェア・モジュールを備えうる。ソフトウェア・モジュールは、プロセッサによって実行された場合、処理システムに対して、さまざまな機能を実行させるための命令群を含む。ソフトウェア・モジュールは、送信モジュールおよび受信モジュールを含みうる。ソフトウェア・モジュールはそれぞれ、単一のストレージ・デバイス内に存在するか、または、複数のストレージ・デバイスにわたって分散されうる。例によれば、ソフトウェア・モジュールは、トリガ・イベントが生じると、ハード・ドライブからＲＡＭへロードされうる。ソフトウェア・モジュールの実行中、プロセッサは、アクセス速度を増加させるために、命令のうちのいくつかをキャッシュにロードしうる。その後、プロセッサによる実行のために、１または複数のキャッシュ・ラインが、汎用レジスタ・ファイルへロードされうる。以下に示すソフトウェア・モジュールの機能を参照する場合、このような機能は、このソフトウェア・モジュールからの命令群を実行するときに、プロセッサによって実施されることが理解されるだろう。
【０１０８】
[0122]ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、対より線、デジタル加入者線（ＤＳＬ）、あるいは、例えば赤外線（ＩＲ）、無線およびマイクロ波のようなワイヤレス技術を使用して、ウェブサイト、サーバ、あるいはその他の遠隔ソースからソフトウェアが送信される場合、同軸ケーブル、光ファイバ・ケーブル、対より線、ＤＳＬ、あるいは、例えば赤外線、無線およびマイクロ波のようなワイヤレス技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）（登録商標）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含む。これらｄｉｓｃは、レーザを用いてデータを光学的に再生する。それに対して、ｄｉｓｋは、通常、データを磁気的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。上記の組み合わせもまた、コンピュータ読取可能な媒体の範囲内に含まれるべきである。
【０１０９】
[0123]したがって、ある態様は、本明細書に記載された動作を実行するためのコンピュータ・プログラム製品を備えうる。例えば、このようなコンピュータ・プログラム製品は、格納された（および／またはエンコードされた）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【０１１０】
[0124]さらに、本明細書で説明された方法および技法を実行するためのモジュールおよび／または他の適切な手段を、適宜、ユーザ端末および／または基地局によってダウンロードし、かつ／または他の形式で入手することができることを理解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー（登録商標）ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【０１１１】
[0125]特許請求の範囲は、前述した精密な構成および構成要素だけに限定されないことを理解されたい。特許請求の範囲から逸脱することなく、前述した方法および装置の配置、動作、および詳細に対して、さまざまな修正、変更、および変形が行われうる。
以下に本願の出願当初の特許請求の範囲に記載された発明を付記する。
［Ｃ１］
ワイヤレス通信のための方法であって、
第１の機能のセットを有する第１のタイプのデバイスと、第２の機能のセットを有する第２のタイプのデバイスとによって復号可能なプリアンブルを有するパケットを生成することと、ここで、前記プリアンブルは、少なくとも１つの反復された信号（ＳＩＧ）フィールドを備える、
前記パケットを送信することと、
を備える方法。
［Ｃ２］
前記反復されたＳＩＧフィールドは、前記第２のタイプのデバイスによって復号可能であるが、前記第１のタイプのデバイスによって復号可能ではない、Ｃ１に記載の方法。
［Ｃ３］
前記プリアンブルはさらに、前記第１のタイプのデバイスによって復号可能なＳＩＧフィールドを備え、パケットのタイプを示すインジケーションが、前記第１のタイプのデバイスによって復号可能なＳＩＧフィールドの直交レールによって、前記第２のタイプのデバイスへ提供される、Ｃ２に記載の方法。
［Ｃ４］
前記反復されたＳＩＧフィールドは、前記第１のタイプのデバイスが前記パケットのタイプを検出できるような形で反復される、Ｃ１に記載の方法。
［Ｃ５］
前記パケットのタイプを示すインジケーションが、前記第１のタイプのデバイスによって復号可能なＳＩＧフィールドの直交レールによって提供される、Ｃ１に記載の方法。
［Ｃ６］
前記パケットのタイプを示すインジケーションが、前記反復されたＳＩＧフィールド内のチェックサムによって提供される、Ｃ１に記載の方法。
［Ｃ７］
前記反復されたＳＩＧフィールドの少なくとも１つのシンボルが、前記第１のタイプのデバイスによって復号可能なＳＩＧフィールドに対して回転される、Ｃ１に記載の方法。
［Ｃ８］
前記反復されたＳＩＧフィールドの少なくとも第１の部分が、ガード・インタバルによって先行される、Ｃ１に記載の方法。
［Ｃ９］
前記反復されたＳＩＧフィールドの第２の部分もまた、ガード・インタバルによって先行される、Ｃ８に記載の方法。
［Ｃ１０］
前記反復されたＳＩＧフィールドの第２の部分が、前記反復されたＳＩＧフィールドの第１の部分に対して切り詰められる、Ｃ８に記載の方法。
［Ｃ１１］
遅延拡散保護を提供するために、前記反復されたＳＩＧフィールド後のプリアンブルの少なくとも一部が、前記プリアンブルの１つまたは複数のフィールドに対して増加されたサイクリック・プレフィクスまたは増加されたシンボル持続時間を用いて送信される、Ｃ１に記載の方法。
［Ｃ１２］
遅延拡散保護のタイプを示すインジケーションが、前記反復されたＳＩＧフィールドの終了前にシグナリングされる、Ｃ１１に記載の方法。
［Ｃ１３］
前記少なくとも１つの反復されたＳＩＧフィールドが時間において反復される、Ｃ１に記載の方法。
［Ｃ１４］
前記少なくとも１つの反復されたＳＩＧフィールドが周波数において反復される、Ｃ１に記載の方法。
［Ｃ１５］
前記少なくとも１つの反復されたＳＩＧフィールドは、
前記第２のタイプのデバイスによって復号可能であるが、前記第１のタイプのデバイスによって復号可能ではない、第１の反復されたＳＩＧフィールドと、
少なくとも前記第１のタイプのデバイスによって復号可能である第２の反復されたＳＩＧフィールドと、
を備える、Ｃ１に記載の方法。
［Ｃ１６］
前記第１の反復されたＳＩＧフィールドの少なくとも第１の部分が、ガード・インタバルによって先行される、Ｃ１５に記載の方法。
［Ｃ１７］
前記パケットの少なくとも一部が、前記プリアンブルの少なくとも一部よりも低いレートで送信される、Ｃ１に記載の方法。
［Ｃ１８］
前記プリアンブルは、少なくとも２つの反復されたＳＩＧフィールドを備える、Ｃ１に記載の方法。
［Ｃ１９］
前記反復されたＳＩＧフィールドのうちの少なくとも１つが、時間において反復される、Ｃ１８に記載の方法。
［Ｃ２０］
前記反復されたＳＩＧフィールドのうちの少なくとも１つが、周波数において反復される、Ｃ１８に記載の方法。
［Ｃ２１］
前記反復されたＳＩＧフィールドは、少なくとも１つの反復された高効率（ＨＥ）−ＳＩＧ０フィールドと、少なくとも１つの反復されたＨＥ−ＳＩＧ１フィールドとを備える、Ｃ１８に記載の方法。
［Ｃ２２］
前記少なくとも１つの反復された信号（ＳＩＧ）フィールドは、部分的に反復されたＳＩＧフィールドを備える、Ｃ１に記載の方法。
［Ｃ２３］
前記部分的に反復されたＳＩＧフィールドは、
前記少なくとも１つの反復されたＳＩＧフィールドの第１のシンボルを送信するためにトーンのセットを用いて、および、
前記少なくとも１つの反復されたＳＩＧフィールドの第２のシンボルを送信するためにトーンの前記セットのうちの限定されたサブセットを用いて、
送信される、Ｃ２２に記載の方法。
［Ｃ２４］
ワイヤレス通信のための方法であって、
第１の機能のセットを有する第１のタイプのデバイスと、第２の機能のセットを有する第２のタイプのデバイスとによって復号可能なプリアンブルを有するパケットを受信することと、ここで、前記プリアンブルは、少なくとも１つの反復された信号（ＳＩＧ）フィールドを備える、
前記反復されたＳＩＧフィールドを処理することと、
を備える方法。
［Ｃ２５］
前記反復されたＳＩＧフィールドは、前記第２のタイプのデバイスによって復号可能であるが、前記第１のタイプのデバイスによって復号可能ではない、Ｃ２４に記載の方法。
［Ｃ２６］
前記プリアンブルはさらに、前記第１のタイプのデバイスによって復号可能なＳＩＧフィールドを備え、
パケットのタイプを示すインジケーションが、前記第１のタイプのデバイスによって復号可能なＳＩＧフィールドの直交レールによって、前記第２のタイプのデバイスへ提供される、Ｃ２５に記載の方法。
［Ｃ２７］
前記反復されたＳＩＧフィールドは、前記第１のタイプのデバイスが前記パケットのタイプを検出できるような形で反復される、Ｃ２４に記載の方法。
［Ｃ２８］
前記パケットのタイプを示すインジケーションが、前記第１のタイプのデバイスによって復号可能なＳＩＧフィールドの直交レールによって提供される、Ｃ２４に記載の方法。
［Ｃ２９］
前記パケットのタイプを示すインジケーションが、前記反復されたＳＩＧフィールド内のチェックサムによって提供される、Ｃ２４に記載の方法。
［Ｃ３０］
前記反復されたＳＩＧフィールドの少なくとも１つのシンボルが、前記第１のタイプのデバイスによって復号可能なＳＩＧフィールドに対して回転される、Ｃ２４に記載の方法。
［Ｃ３１］
前記パケットのタイプを、前記反復されたＳＩＧフィールドの反復部分の相関関係によって決定することをさらに備える、Ｃ２４に記載の方法。
［Ｃ３２］
前記反復されたＳＩＧフィールドの少なくとも第１の部分が、ガード・インタバルによって先行される、Ｃ２４に記載の方法。
［Ｃ３３］
遅延拡散保護を提供するために、前記反復されたＳＩＧフィールド後のプリアンブルの少なくとも一部が、前記プリアンブルの１つまたは複数のフィールドに対して増加されたサイクリック・プレフィクスまたは増加されたシンボル持続時間を用いて送信される、Ｃ２４に記載の方法。
［Ｃ３４］
前記反復されたＳＩＧフィールド後のパケットの少なくとも一部はプリアンブルであり、前記プリアンブルの１つまたは複数のフィールドに対してより大きなサイクリック・プレフィクスで送信され、その後の少なくとも一部は、より長いシンボル持続時間で送信される、Ｃ３３に記載の方法。
［Ｃ３５］
増加されたシンボル持続時間または増加されたサイクリック・プレフィクスで送信された少なくとも一部の後のパケットの一部が、ノーマルなシンボル持続時間で送信される、Ｃ３３に記載の方法。
［Ｃ３６］
遅延拡散保護のタイプを示すインジケーションが、前記反復されたＳＩＧフィールドの終了前にシグナリングされる、Ｃ３３に記載の方法。
［Ｃ３７］
前記少なくとも１つの反復されたＳＩＧフィールドが時間において反復される、Ｃ３６に記載の方法。
［Ｃ３８］
前記少なくとも１つの反復されたＳＩＧフィールドが周波数において反復される、Ｃ３６に記載の方法。
［Ｃ３９］
前記少なくとも１つの反復されたＳＩＧフィールドは、
前記第２のタイプのデバイスによって復号可能であるが、前記第１のタイプのデバイスによって復号可能ではない、第１の反復されたＳＩＧフィールドと、
少なくとも前記第１のタイプのデバイスによって復号可能である第２の反復されたＳＩＧフィールドと、
を備える、Ｃ２４に記載の方法。
［Ｃ４０］
前記第１の反復されたＳＩＧフィールドの少なくとも第１の部分が、ガード・インタバルによって先行される、Ｃ３９に記載の方法。
［Ｃ４１］
前記パケットの少なくとも一部が、前記プリアンブルの少なくとも一部よりも低いレートで送信される、Ｃ２４に記載の方法。
［Ｃ４２］
前記プリアンブルは、少なくとも２つの反復されたＳＩＧフィールドを備える、Ｃ２４に記載の方法。
［Ｃ４３］
前記反復されたＳＩＧフィールドの第１のシンボルのトーンのセットが、パイロットのために使用され、
前記反復されたＳＩＧフィールドの第２のシンボルにおけるトーンの同じセットのうちの少なくともサブセットが、遅延拡散保護のタイプをシグナリングするために使用される、Ｃ２４に記載の方法。
［Ｃ４４］
遅延拡散保護のタイプが、少なくとも２シンボルにわたって、反復されたＳＩＧフィールドの直交レールを用いてシグナリングされる、Ｃ２４に記載の方法。
［Ｃ４５］
遅延拡散保護のタイプが、反復されたＳＩＧフィールドの非パイロット・トーンを用いてシグナリングされる、Ｃ２４に記載の方法。
［Ｃ４６］
前記反復されたＳＩＧフィールドの第１のシンボルのトーンのセットが、パイロットのために使用され、
前記反復されたＳＩＧフィールドの第２のシンボルにおけるトーンの同じセットのうちの少なくともサブセットが、遅延拡散保護のタイプをシグナリングするために使用される、Ｃ２４に記載の方法。
［Ｃ４７］
遅延拡散保護のタイプが、少なくとも２シンボルにわたって、反復されたＳＩＧフィールドの直交レールを用いてシグナリングされる、Ｃ２４に記載の方法。
［Ｃ４８］
第１の反復されたＳＩＧフィールド後の２シンボルの自己相関を計算することによって、遅延拡散保護のタイプを検出することをさらに備える、Ｃ２４に記載の方法。
［Ｃ４９］
高効率ＷＬＡＮタイプのパケットが、反復されたＳＩＧフィールドの非パイロット・トーンを用いてシグナリングされる、Ｃ２４に記載の方法。
［Ｃ５０］
前記少なくとも１つの反復された信号（ＳＩＧ）フィールドが、部分的に反復されたＳＩＧフィールドを備える、Ｃ２４に記載の方法。
［Ｃ５１］
前記部分的に反復されたＳＩＧフィールドが、
前記少なくとも１つの反復されたＳＩＧフィールドの第１のシンボルを受信するためにトーンのセットを用いて、および、
前記少なくとも１つの反復されたＳＩＧフィールドの第２のシンボルを受信するためにトーンの前記セットのうちの限定されたサブセットを用いて、
受信される、Ｃ５０に記載の方法。
［Ｃ５２］
ワイヤレス通信のための装置であって、
第１の機能のセットを有する第１のタイプのデバイスと、第２の機能のセットを有する第２のタイプのデバイスとによって復号可能なプリアンブルを有するパケットを生成する手段と、ここで、前記プリアンブルは、少なくとも１つの反復された信号（ＳＩＧ）フィールドを備える、
前記パケットを送信する手段と、
を備える装置。
［Ｃ５３］
ワイヤレス通信のための装置であって、
第１の機能のセットを有する第１のタイプのデバイスと、第２の機能のセットを有する第２のタイプのデバイスとによって復号可能なプリアンブルを有するパケットを受信する手段と、ここで、前記プリアンブルは、少なくとも１つの反復された信号（ＳＩＧ）フィールドを備える、
前記反復されたＳＩＧフィールドを処理する手段と、
を備える装置。
［Ｃ５４］
ワイヤレス通信のための装置であって、
第１の機能のセットを有する第１のタイプのデバイスと、第２の機能のセットを有する第２のタイプのデバイスとによって復号可能なプリアンブルを有するパケットを生成するように構成されたプロセッサと、ここで、前記プリアンブルは、少なくとも１つの反復された信号（ＳＩＧ）フィールドを備える、
前記パケットを送信するように構成された送信機と、
を備える装置。
［Ｃ５５］
ワイヤレス通信のための装置であって、
第１の機能のセットを有する第１のタイプのデバイスと、第２の機能のセットを有する第２のタイプのデバイスとによって復号可能なプリアンブルを有するパケットを受信するように構成されたプロセッサと、ここで、前記プリアンブルは、少なくとも１つの反復された信号（ＳＩＧ）フィールドを備える、
前記反復されたＳＩＧフィールドを処理するように構成された処理システムと、
を備える装置。
【図１】
0006466430.tif 000002
【図２】
0006466430.tif 000003
【図３】
0006466430.tif 000004
【図４】
0006466430.tif 000005
【図５】
0006466430.tif 000006
【図６Ａ】
0006466430.tif 000007
【図６Ｂ】
0006466430.tif 000008
【図６Ｃ】
0006466430.tif 000009
【図７】
0006466430.tif 000010
【図７Ａ】
0006466430.tif 000011
【図８】
0006466430.tif 000012
【図８Ａ】
0006466430.tif 000013
【図９Ａ】
0006466430.tif 000014
【図９Ｂ】
0006466430.tif 000015
【図１０Ａ】
0006466430.tif 000016
【図１０Ｂ】
0006466430.tif 000017
【図１１Ａ】
0006466430.tif 000018
【図１１Ｂ】
0006466430.tif 000019
【図１１Ｃ】
0006466430.tif 000020
【図１２Ａ】
0006466430.tif 000021
【図１２Ｂ】
0006466430.tif 000022
【図１２Ｃ】
0006466430.tif 000023